(57)【特許請求の範囲】
【請求項１】
ユーザ機器の位置に対応する領域内におけるセル密集度及びセルタイプを確定し、
確定されたセル密集度及び確定されたセルタイプに基づき、前記ユーザ機器の移動状態を確定し、
確定された前記ユーザ機器の移動状態に基づき、前記ユーザ機器のセル再選択を制御するように配置される回路を備え、
前記セルタイプは、少なくともマクロセルに対応する第１のセルタイプ及びスモールセルに対応する第２のセルタイプを備え、前記スモールセルは前記マクロセルよりも小さいカバレッジを有する、システム。
【請求項２】
前記回路は、前記ユーザ機器にサービスを提供するセルから前記セル密集度を指示する情報を受信するように配置される請求項１に記載のシステム。
【請求項３】
前記回路は、前記ユーザ機器にサービスを提供するセルからスモールセルクラスタに存在している複数のスモールセルを識別する情報を受信するように配置される請求項１に記載のシステム。
【請求項４】
前記回路は、前記ユーザ機器にサービスを提供するセルから受信した識別子と前記識別子を前記セル密集度に関連する情報とを比較することにより、前記セルの密集度を確定するように配置される請求項１に記載のシステム。
【請求項５】
前記回路は、前記ユーザ機器にサービスを提供するセルからスモールセルクラスタを識別する情報を受信するように配置される請求項１に記載のシステム。
【請求項６】
前記回路は、所定時間帯内に前記ユーザ機器にセルからサービスを得る回数を計数することにより前記セル密集度を確定するように配置され、
前記サービスは、スモールセルに対する接続、及びスモールセルを含む複数のセルに対する同時接続のうちの少なくとも１つを含む請求項１に記載のシステム。
【請求項７】
前記回路は、計数された回数が所定閾値を超える場合、前記セル密集度が高いと確定するように配置される請求項６に記載のシステム。
【請求項８】
前記回路は、前記システムがサービスを得るセルの間の距離を確定することにより前記セル密集度を確定するように配置される請求項１に記載のシステム。
【請求項９】
前記回路は、前記ユーザ機器にサービスを提供するセルの送信電力に基づき前記セル密集度及びセルタイプうちの少なくとも１つを確定するように配置される請求項１に記載のシステム。
【請求項１０】
前記回路は、前記ユーザ機器にサービスを提供するセルから受信した信号に含まれる、基地局に対応する識別子に基づき、前記セルタイプを確定するように配置される請求項１に記載のシステム。
【請求項１１】
前記回路は、前記セル密集度が低いと確定された場合、前記ユーザ機器にマクロセルからサービスを受信した回数を計数することにより、前記ユーザ機器の移動状態を確定するように配置される請求項１に記載のシステム。
【請求項１２】
前記回路は、前記セル密集度が高いと確定された場合、前記ユーザ機器の移動距離を推定することにより、前記ユーザ機器の移動状態を推定するように配置される請求項１に記載のシステム。
【請求項１３】
前記回路は、前記ユーザ機器にサービスを受信する複数のスモールセルのそれぞれに対応する位置情報の差異により、前記ユーザ機器の移動状態を推定するように配置される請求項１２に記載のシステム。
【請求項１４】
前記回路は、前記ユーザ機器にマクロセルからサービスを受信する第１の回数、及び前記ユーザ機器にスモールセルからサービスを受信する第２の回数を確定するように配置される請求項１に記載のシステム。
【請求項１５】
前記回路は、
確定されたセル密度により、第１の重み及び第２の重みを確定し、
前記第１の重みを前記第１の回数に付けて、
前記第２の重みを前記第２の回数に付けて、
重み付けされた前記第１の回数と重み付けされた第２の回数との和を確定し、
重み付けされた前記第１の回数と重み付けされた第２の回数との和に基づき、前記ユーザ機器の移動状態を推定するように配置される請求項１４に記載のシステム。
【請求項１６】
前記回路は、
所定領域内にスモールセルからサービスを前記ユーザ機器に受信する回数を計数し、
計数された回数を所定閾値に比較し、
計数された回数が前記所定閾値を超え、又は、前記ユーザ機器が前記領域から移動すると、前記計数を再開するように配置される請求項１に記載のシステム。
【請求項１７】
前記回路は、
前記ユーザ機器の移動状態を指示する情報を基地局に伝送するように制御し、
伝送された前記ユーザ機器の移動状態を指示する情報に基づく切り替え目標を前記基地局から受信するように配置される請求項１に記載のシステム。
【請求項１８】
前記システムは前記ユーザ機器である請求項１に記載のシステム。
【発明の詳細な説明】
【技術分野】
【０００１】
本発明は一般的に無線通信分野に関し、さらに具体的に、ユニバーサル移動体通信システム（ＵＭＴＳ）のロング・ターム・エボリューション（ＬＴＥ）及びそのＬＴＥアドバンスト（ＬＴＥ−Ａ）における装置及び方法に関する。
【背景技術】
【０００２】
ＬＴＥは最高速度が３５０ｋｍ／ｈである高速列車のシナリオをサポートする。異なる移動状態の移動体端末のサービス品質を確保するために、ＬＴＥはネットワーク構造で相応に最適化されるだけでなく、対応のメカニズムも設計されて、異なるシナリオの必要に適応するように移動体端末が現在の移動状態に応じてメータ構成を自己適応に最適化する。
【０００３】
上記メカニズムは、ＬＴＥにおける移動体端末の移動状態推定（Ｍｏｂｉｌｉｔｙ  Ｓｔａｔｅ  Ｅｓｔｉｍａｔｉｏｎ、ＭＳＥ）である。ＬＴＥにおける移動体端末の移動状態推定はセル再選択の回数の計数に基づくものである。慣習的な同質ネットワークでは、上記セル再選択の回数の計数に基づく移動状態推定は、移動体端末の移動状態を比較的に正確に推定することができる。しかしながら、異種混合ネットワークの取り入れにつれて、スモールセル配置位置のランダム性及びカバレッジの不均一性は上記セル再選択の回数の計数に基づく移動状態推定の正確さに大いに影響する。
【発明の概要】
【発明が解決しようとする課題】
【０００４】
異種混合ネットワークでは、マクロセル（Ｍａｃｒｏ）において、異なる種類の低電力ノード（Ｌｏｗ  Ｐｏｗｅｒ  Ｎｏｄｅ、ＬＰＮ）、例えば、マイクロ基地局、ピコ基地局、フェムトセル基地局、リモートラジオユニット等が配置されている。また、異なる種類のスモールセルは送信電力が異なるため、そのカバレッジも異なる。慣習的な移動状態推定は、ネットワークにおける異なるセルのカバレッジが大体に同じであるという基本的な想定に基づいている。しかしながら、異種混合ネットワークでは、各種の低電力ノードが存在しているため、上記想定はもはや成立しなくなる。また、異種混合ネットワークにおいて移動体端末のセル切り替え又は再選択の回数が著しく増加するため、移動体端末が高速で移動している錯覚を与える傾向がある。さらに、移動状態推定の不正確さにより移動状態推定に関連するメカニズム、例えば、速度調整要素がさらに影響され、これにより、異種混合ネットワークにおいて移動体端末の移動性という基本的な要求を満たすことができない。
【０００５】
よって、シームレスで安定なネットワークカバレッジをユーザに提供するように、異種混合ネットワークにおいて移動体端末の移動性の安定性を確保する無線通信システムにおける装置及び方法を提供することが望まれる。
【課題を解決するための手段】
【０００６】
本発明の実施例によれば、ユーザ機器の位置に対応する領域内においてセル密集度及びセルタイプを確定し、確定されたセル密集度及び確定されたセルタイプに基づき、前記ユーザ機器の移動状態を確定し、確定された前記ユーザ機器の移動状態に基づき、前記ユーザ機器のセル再選択を制御するシステムが提供される。
【発明の効果】
【０００７】
本発明によれば、移動体端末の移動状態を推定するように、推定されるスモールセルの密集度により移動状態推定方式を確定することができるため、異種混合ネットワークにおいて移動体端末の移動性の安定性が確保され、ユーザにシームレスで安定なネットワークカバレッジを提供する。
【０００８】
下記の図面を組み合わせて本発明の実施例に対する具体的な説明を参照すると、本発明の上記及びその他の目的、特徴及びメリットをさらに理解することができる。図面において、同じ又は対応する技術的特徴又は部材は同じ又は対応する符号で表されている。
【図面の簡単な説明】
【０００９】
【図１】図１は本発明の実施例に係る無線通信システムにおける装置の構成を示すブロック図である。
【図２】図２は本発明の実施例に係る無線通信システムにおける装置のもう１つの構成を示すブロック図である。
【図３】図３は本発明の実施例に係る無線通信システムにおける装置のさらにもう１つの構成を示すブロック図である。
【図４】図４は本発明のもう１つの実施例に係る無線通信システムに用いる方法を示すフローチャートである。
【図５】図５は本発明のもう１つの実施例に係る無線通信システムに用いる方法を示すフローチャートである。
【図６】図６は本発明のもう１つの実施例に係る無線通信システムに用いる方法を示すフローチャートである。
【図７】図７は本発明のもう１つの実施例に係る無線通信システムにおける装置の構成を示すブロック図である。
【図８】図８は本発明のもう１つの実施例に係る無線通信システムに用いる方法を示すフローチャートである。
【図９】図９は本発明のもう１つの実施例に係る無線通信システムに用いる方法を示すフローチャートである。
【図１０】図１０は、本発明に係る実施例を実施可能な情報処理装置の概略的なブロック図である。
【発明を実施するための形態】
【００１０】
以下、図面を組み合わせて本発明の実施例を説明する。明瞭なために、図面及び明細書には、本発明と関係なく、当業者が既知の部材及び処理に対する図示及び説明が省略された。
【００１１】
以下、図１を組み合わせて本発明の実施例に係る無線通信システムにおける装置の構成を説明する。図１は本発明の実施例に係る無線通信システムにおける装置の構成を示すブロック図である。
【００１２】
図１に示すように、無線通信システムにおける装置１００は、スモールセル密集度評価ユニット１０２及び移動状態推定ユニット１０４を備えてもよい。
【００１３】
装置１００におけるスモールセル密集度評価ユニット１０２は、移動体端末が位置する領域内におけるスモールセルの密集度を評価することができる。
【００１４】
異種混合ネットワークの取り入れは、慣習的なセルアーキテクチャに変化をもたらし、且つ慣習的な移動状態推定方式に課題をもたらす。本発明の出願者は研究を経て、異種混合ネットワークをそれ自身の属性によりさらに分類することができることを見つけ出した。例えば、異種混合ネットワークにおいてスモールセル配置の密集度により異種混合ネットワークをさらに分類することができ、例えば、異種混合ネットワークをスモールセルの密集に配置される類別とスモールセルが密集に配置されていない類別に分類する。ここで、上記異種混合ネットワークをスモールセルの密集に配置される類別及びスモールセルの密集に配置されていない類別に分類することは例示に過ぎず、異種混合ネットワークにおいてスモールセル配置の密集度により異種混合ネットワークを３つまたはそれ以上の類別に分類してもよい。また、上記異種混合ネットワークにおいてスモールセル配置の密集度により異種混合ネットワークを分類することも例示に過ぎず、異種混合ネットワーク自身の他の属性により異種混合ネットワークをさらに分類してもよい。以下、主に、異種混合ネットワークにおいてスモールセル配置の密集度を例として説明する。
【００１５】
異種混合ネットワークにおいてスモールセル配置の密集度の異なりにより、慣習的なネットワークには異なる影響が与えられる。具体的に、スモールセルの密集に配置されていない異種混合ネットワークは、慣習的な同質ネットワークとそれほど大きく異ならない可能性がある。しかしながら、ホットスポットエリア、例えば都心、ショッピングモール、オフィス、オフィスビルなどにおいて通常に大量のビジネスが要求されている結果、これらのエリアにおいて大量のスモールセルの密集配置の要求も存在している。スモールセル密集度の増加につれて、慣習的なネットワークにおける移動体端末の移動性に対する影響は量から質へ変化する。例えば、スモールセルの密集配置により、移動体端末において頻繁にセル切り替えをもたらす可能性がある。スモールセル密集度の増加につれて、スモールセルの間の干渉が大きくなるため、移動体端末において切り替え失敗の確率もそれに応じて高くなる。また、スモールセルのカバレッジが比較的に小さいため、移動体端末において切り替えの回数もスモールセル密集度の増加につれて大きくなり、ピンポン切り替えの確率も大きくなる。また、移動体端末のユーザにとって、移動体端末のユーザのサービス品質の体験を直接に影響するのは、移動体端末において切り替え失敗の回数、及びピンポン切り替え回数等であり、上記分析から分かるように、スモールセルの密集配置により、移動体端末の切り替え失敗回数、及びピンポン切り替え回数等が大幅に上昇し、移動体端末のユーザのサービス体験が極大に低下される。よって、異種混合ネットワークにおける移動体端末の移動状態を推定する場合、異種混合ネットワークにおいてスモールセル配置の密集度は重要な要素である。異種混合ネットワークにおける移動体端末の移動状態推定の正確さを向上するために、スモールセルの密集度により移動体端末の移動状態推定方式を確定するように、移動体端末が位置する領域内におけるスモールセルの密集度を評価する必要がある。
【００１６】
以下、如何に移動体端末が位置する領域内におけるスモールセルの密集度を評価するかについて具体的に説明する。ここで、下記移動体端末が位置する領域内におけるスモールセルの密集度を評価する各種の具体的な方式は例示に過ぎず、限定的なものではない。当業者は、移動体端末が位置する領域内におけるスモールセルの密集度を確定できれば、下記各種の具体的なスモールセル密集度の評価方式を必要に応じて修正、置換又は変形することができる。
【００１７】
本発明の１つの実施例によれば、スモールセル密集度評価ユニット１０２は、移動体端末にサービスを提供する基地局から、どのスモールセルが互いに隣接するかを指示するスモールセルクラスタの情報を受信し、スモールセルクラスタの情報により移動体端末が位置する領域内におけるスモールセルの密集度を評価してもよい。
【００１８】
異種混合ネットワークでは、大量のスモールセルはマクロセルのカバレッジ内に配置されており、移動体端末にサービスを提供する基地局は、各スモールセルが配置される実際の位置を知ることができる。よって、移動体端末にサービスする基地局は、スモールセルが配置される実際の位置により、互いに隣接して近くに分布されている複数のスモールセルを同じスモールセルクラスタに分け、どのスモールセルが互いに隣接するかを指示するスモールセルクラスタの情報を形成する。スモールセルクラスタの情報により、該スモールセルクラスタに含まれるスモールセルの数及び各スモールセルの識別子情報を確定することができる。移動体端末が特定のスモールセルクラスタにおいて任意のスモールセルの識別子情報を検出すると、該移動体端末は該スモールセルが所属するスモールセルクラスタに近接していると判定されてもよい。よって、移動体端末は、該スモールセルクラスタに含まれるスモールセルの数により、該移動体端末が位置する領域内におけるスモールセルの密集度を確定してもよい。よって、本実施例によれば、スモールセル配置が密集するか否かを判定することは、移動体端末にサービスを提供する基地局側で実行されるのであり、基地局は、接近に分布しているスモールセルを同じスモールセルクラスタに区分してもよく、移動体端末は、スモールセルクラスタに含まれるスモールセルの数によりスモールセル配置の密集度を判定してもよい。また、本実施例によれば、移動体端末が１つのスモールセルを発見することは、該スモールセルが所属するスモールセルクラスタを発見することに相当するため、本実施例に係るスモールセル密集度の評価方式は、移動体端末の移動軌跡に影響されない。
【００１９】
本発明の１つの実施例によれば、スモールセルクラスタの情報は隣接セルのリストに追加されるスモールセルの識別子索引情報により指示されてもよく、スモールセル識別子索引情報は、隣接スモールセルが同じクラスタに属することを指示するように、隣接スモールセルの識別子情報を備えてもよい。
【００２０】
隣接セルリスト又は他のシステム情報ブロックにスモールセル識別子索引情報を追加することにより、スモールセルクラスタの情報を指示しても良い。例えば、互いに隣接する先頭のｍ個のスモールセルを第１のスモールセルクラスタに分け、互いに隣接する次のｎ個のスモールセルを第２のスモールセルクラスタに分け、これにより類推する。ここで、ｍ及びｎは１以上の自然数である。スモールセル識別子索引情報は、該同じスモールセルクラスタに属する各隣接スモールセルのスモールセル識別子情報を備えてもよい。例えば、第１のスモールセルクラスタのスモールセル識別子情報は、第１のスモールセルクラスタに属する先頭のｍ個のスモールセルにおける各スモールセルの識別子情報を備えてもよく、第２のスモールセルクラスタのスモールセル識別子情報は、第２のスモールセルクラスタに属する次のｎ個のスモールセルにおける各スモールセルの識別子情報を備えてもよい。ここで、上記隣接セルリストに追加されるスモールセル識別子索引情報によりスモールセルクラスタの情報を指示する方式は、例示に過ぎず、限定ではなく、他の方式によりスモールセルクラスタの情報を指示しても良い。
【００２１】
具体的に、スモールセルクラスタの情報を隣接セルリストに追加して、スモールセルクラスタの情報が追加された隣接セルリストをシステム情報ブロックＳＩＢ４、ＳＩＢ５で放送してもよい。また、スモールセルクラスタの情報を他のシステム情報ブロックに追加し、スモールセルクラスタの情報が追加された他のシステム情報ブロックをブロードキャストしてもよい。また、移動体端末のために、スモールセルクラスタの情報を指示する１つの新しいシステム情報ブロックを単独に設置してもよい。
【００２２】
スモールセルクラスタの情報において、スモールセルクラスタを唯一に識別するスモールセルクラスタ識別子を定義してもよい。各スモールセルクラスタ識別子は、該スモールセルクラスタに属するスモールセルの物理セル識別子を含む。システム情報負荷を減らすために、スモールセルを実際に配置する場合、接近に分布されるスモールセルにできるだけ連続番号を付けてもよい。このように、スモールセルクラスタ内におけるスモールセルの物理セル識別子の開始位置及び範囲を与えることにより、これらのスモールセルは該スモールセルクラスタに含まれるようになる。
【００２３】
具体的に、スモールセルクラスタの情報の放送はマクロ基地局側により実行されてもよい。スモールセルが一般的にマクロ基地局のカバレッジ内に分布するため、マクロ基地局は、マクロセルカバレッジ内におけるスモールセルの配置される実際位置により、スモールセルをクラスタし、形成されるスモールセルクラスタの情報をブロードキャストしてもよい。また、スモールセルクラスタが複数のマクロセルのカバレッジに属する状況も存在する可能性があるため、この場合、マクロ基地局はスモールセルクラスタの情報をブロードキャストする時、これらのスモールセルも含まれる必要がある。
【００２４】
また、スモールセルクラスタの情報のブロードキャストはスモールセルにより実行されてもよい。スモールセル基地局の間の情報の対話により、スモールセル基地局は１つのスモールセルクラスタを自己組織してもよく、又は、ネットワーク側においてスモールセルクラスタの配置を直接に行ってもよい。スモールセルクラスタが形成された後、各スモールセル基地局は、そのスモールセルクラスタ内において他のスモールセルの物理セルＩＤ識別子をブロードキャストしてもよい。よって、移動体端末は、１つのスモールセルにアクセスすれば、該スモールセルが属するスモールセルクラスタ内において他のスモールセルの情報を得ることができる。
【００２５】
また、本発明の１つの実施例によれば、移動体端末は、ネットワーク側から移動体端末が位置する領域内におけるスモールセルの密集度を指示する情報を直接に得てもよく、移動体端末自体により移動体端末が位置する領域内におけるスモールセルの密集度を推定する必要がない。例えば、ネットワーク側のマクロ基地局は、移動体端末の位置情報により、該移動体端末がスモールセルの密集領域に位置するか否かを確定し、移動体端末がスモールセルの密集領域に位置すると確定されると、移動体端末に通知し、移動体端末は、ネットワーク側のマクロ基地局に通知される情報によりスモールセルの密集度を得る。具体的に、マクロ基地局は、移動体端末からのＧＰＳ情報を受信し、ＧＰＳ情報により移動体端末の位置情報を得ても良い。また、マクロ基地局は、従来技術における各種の測定方法により移動体端末の位置情報を大体に確定してもよく、例えば、マクロ基地局は、ＣＩＤ、Ｅ−ＣＩＤ、ＡＯＡ、ＴＤＯＡ又は指紋（ｆｉｎｇｅｒ  ｐｒｉｎｔ）等の測定方法により、移動体端末の大体の位置情報を確定してもよい。
【００２６】
本発明の１つの実施例によれば、スモールセル密集度評価ユニットは、移動体端末がスモールセルからサービスを得る履歴により、移動体端末が位置する領域内におけるスモールセルの密集度を評価してもよい。例えば、本発明の１つの具体的な実施例によれば、移動体端末は、スモールセルに切り替え又は再選択すること、又はスモールセルを通ってキャリアアグリゲーション、二重接続及び多地点協調送信の中の少なくとも１つを行なうことにより、スモールセルからサービスを得てもよい。
【００２７】
異種混合ネットワークにおいてスモールセルが密集に配置される場合、複数のスモールセルが密集に分布される。移動体端末はある期間内にスモールセルからサービスを複数回得ると、移動体端末はスモールセルが密集に配置される領域内にある可能性が高い。よって、移動体端末がスモールセルからサービスを得る歴史により、移動体端末が位置する領域内におけるスモールセルの密集度を評価してもよい。例えば、スモールセルを含む異種混合ネットワークにおいて、移動体端末は、スモールセルに切り替え又は再選択することによりスモールセルからサービスを得ても良い。
【００２８】
また、３ＧＰＰのスモールセル増強に、最初のシナリオがさらに広げられる。例えば、スモールセル増強においてキャリアアグリゲーションのシナリオが取り入れられ、該シナリオに、理想のバックホール（ｂａｃｋｈａｕｌ）及び非理想のバックホール（ｂａｃｋｈａｕｌ）も考慮される。また、スモールセル増強に二重接続のシナリオも取り入られる。また、スモールセル増強に多地点協調送信のシナリオ等も取り入られる。このように、未来の異種混合ネットワークでは、大量の低電力ノード及びマクロセルは、各種のモードを通って移動体端末を共同にサービスしようとしている。よって、多くの場合、移動体端末は、スモールセルに切り替え又は再選択することによりスモールセルからサービスを得るだけでなく、キャリアアグリゲーション、二重接続及び多地点協調送信の中の少なくとも１つの方式によりスモールセルからサービスを得てもよい。
【００２９】
本発明の１つの実施例によれば、スモールセル密集度評価ユニット１０２は、移動体端末がサービスを得る目標セルのタイプはスモールセルであるか否か、及び所定時間内に移動体端末がサービスを得る目標セルはスモールセルである回数を計数し、回数を予定回数閾値に比べることにより移動体端末が位置する領域内におけるスモールセルの密集度を評価してもよい。
【００３０】
具体的に、移動体端末が切り替え又はスモールセルに再選択することによりスモールセルからサービスを得る場合、移動体端末が切り替え又は再選択する目標セルのタイプはスモールセルであるか否かを判定し、移動体端末に計数器を設定し、該計数器を用いて所定時間内に移動体端末がスモールセルに切り替え又は再選択する回数を計数してもよい。所定時間窓内に計数される回数を所定回数の閾値と比べることにより移動体端末が位置する領域内におけるスモールセルの密集度を評価してもよい。ここで、実際の要求に応じて、複数の所定回数閾値を設定しても良い。また、移動体端末は、スモールセルを通ってキャリアアグリゲーション、二重接続及び多地点協調送信の中の少なくとも１つをすることによりスモールセルからサービスを得る場合、ここで言及される全てのキャリアアグリゲーション、二重接続及び多地点協調送信等は、スモールセルとマクロセル、又はスモールセルとスモールセルとの間の協調のシナリオに関連するため、移動体端末に関連する各スモールセルに対してそれぞれ計数してもよい。例えば、移動体端末はスモールセルを通ってキャリアアグリゲーションを行なうことでスモールセルからサービスを得る場合、複数のメンバーキャリアは複数の異なるスモールセルに関連する可能性があるため、異なる到達時間又は物理セル識別子等により、これらのメンバーキャリアがそれぞれどれらの異なるスモールセルに属するかを区分し、そして、移動体端末に関連する各スモールセルに対してそれぞれ計数してもよい。また、二重接続又は多地点協調送信等の方式を用いる場合は類似するため、ここで詳しく説明しない。
【００３１】
本実施例によれば、所定時間内に移動体端末がサービスを得る目標セルはスモールセルである回数を計数することにより、移動体端末が位置する領域内におけるスモールセル密集度を簡単で直観的に評価することができる。
【００３２】
本発明の１つの実施例によれば、スモールセル密集度評価ユニット１０２は、移動体端末がサービスを得る目標セルのタイプはスモールセルであるか否かを判定し、移動体端末がサービスを得るスモールセルの位置情報により移動体端末がサービスを得るスモールセルの間の距離を判定し、距離を所定距離閾値に比べることにより移動体端末が位置する領域内におけるスモールセルの密集度を評価してもよい。
【００３３】
具体的に、移動体端末はスモールセルに切り替え又は再選択することによりスモールセルからサービスを得る場合、移動体端末は、移動体端末が以前に接続されるソースセル、及び移動体端末が切り替え又は再選択する目標セルのタイプはスモールセルであるか否かを識別し、移動体端末が最近に成功に切り替え又は再選択する幾つかのスモールセルを記録してもよく、これにより、移動体端末が切り替え又は再選択するスモールセルの位置情報が得られる。移動体端末が切り替え又は再選択するスモールセルの位置情報により、移動体端末が切り替え又は再選択するスモールセルの間の距離を計算することができる。計算される移動体端末が切り替え又は再選択するスモールセルの間の距離を所定距離閾値と比較することにより、移動体端末が位置する領域内におけるスモールセルの密集度を評価してもよい。例えば、比較により移動体端末が切り替え又は再選択する複数のスモールセルの間の距離が近いと判定されると、移動体端末が位置する領域内におけるスモールセルが密集に配置されると確定されてもよい。また、移動体端末はスモールセルを通ってキャリアアグリゲーション、二重接続及び多地点協調送信の中の少なくとも１つによりスモールセルからサービスを得る場合、ここで、言及される全てのキャリアアグリゲーション、二重接続及び多地点協調送信等は、スモールセルとマクロセル、又はスモールセルとスモールセルとの間の協調のシナリオに関連するため、移動体端末に関する各スモールセルに対して、距離閾値をそれぞれ計算し、そして、計算して得た複数の距離閾値の平均値を求める。例えば、移動体端末はスモールセルを通ってキャリアアグリゲーションによりスモールセルからサービスを得る場合、複数のメンバーキャリアは複数の異なるスモールセルに関する可能性があるため、異なる到達時間又は物理セル識別子等により、これらのメンバーキャリアがそれぞれどれらの異なるスモールセルに属するかを区分し、そして、移動体端末に関する各スモールセルに対してそれぞれ距離閾値を計算し、計算して得た複数の距離閾値の平均値を求めても良い。また、二重接続又は多地点協調送信等を用いる場合も類似するため、詳しく説明しない。
【００３４】
移動体端末がサービスを得るスモールセルの位置情報は各種の方式により得られても良い。例えば、隣接セルリストにおいてスモールセルの位置情報に関連するパラメータを追加し、移動体端末は、隣接セルリストにおける上記パラメータを照会することによりスモールセルの位置情報を得ても良い。さらに例えば、スモールセルのブロードキャストチャンネルにおいてスモールセルの位置情報をブロードキャストし、移動体端末はブロードキャストを受信することによりスモールセルの位置情報を得ても良い。さらに例えば、移動体端末は、スモールセルの位置情報を得るように、自分の要求に応じてスモールセルに要求情報を送信してもよい。また、スモールセルの位置情報は、経度情報及び緯度情報を用いて識別されてもよい。
【００３５】
本発明の１つの実施例によれば、上記所定距離閾値は、移動体端末がサービスを得るスモールセルのカバレッジにより確定される。例えば、上記所定距離閾値は、移動体端末がサービスを得るスモールセルのカバレッジに対応する各スモールセルの距離閾値の重付平均を計算することにより確定されてもよい。
【００３６】
移動体端末は、移動体端末がサービスを得るスモールセルの送信電力を取得し、移動体端末がサービスを得るスモールセルの送信電力により移動体端末がサービスを得るスモールセルのカバレッジを推定してもよい。移動体端末がサービスを得るスモールセルのカバレッジにより所定距離閾値を確定してもよく、且つ異なるスモールセルのカバレッジは異なるスモールセルの距離閾値に対応しても良い。本発明の１つの実施例によれば、スモールセルのカバレッジに対応するスモールセルの距離閾値をそれぞれ上記所定距離閾値として、移動体端末が位置する領域内におけるスモールセルの密集度を評価するように、計算される移動体端末がサービスを得るスモールセルの間の距離を対応するスモールセルの距離閾値と比較してもよい。本発明のもう１つの実施例によれば、スモールセルのカバレッジに対応するスモールセルの距離閾値の算術平均数をそれぞれ上記所定距離閾値として、そして、移動体端末が位置する領域内におけるスモールセルの密集度を評価するように、計算される移動体端末がサービスを得るスモールセルの間の距離を上記スモールセルの距離閾値の算術平均数と比較してもよい。本発明のさらにもう１つの実施例によれば、スモールセルのカバレッジに対応するスモールセルの距離閾値のそれぞれに、対応する重みを割り当て、スモールセルのカバレッジに対応するスモールセルの距離閾値の重付平均値を上記所定距離閾値として、移動体端末が位置する領域内におけるスモールセルの密集度を評価するように、計算される移動体端末がサービスを得るスモールセルの間の距離を上記スモールセルの距離閾値の重付平均値に比較してもよい。
【００３７】
本実施例によれば、移動体端末がサービスを得るスモールセルの間の距離を計算するようにスモールセル配置の位置情報をさらに利用しているため、スモールセルが位置する領域内における密集度をさらに正確に得られる。
【００３８】
本発明の１つの実施例によれば、スモールセル密集度評価ユニット１０２は、さらに、移動体端末がサービスを得る目標セルの送信電力により、目標セルのタイプ及び／又はカバレッジを判定してもよい。
【００３９】
異種混合ネットワークにおいて大量の低電力ノード、例えばマイクロ基地局、ピコ基地局、フェムトセル基地局、リモートラジオユニット等が存在している。これらの低電力ノードはマクロセルのカバレッジ内に分布しており、異なる方式によりマクロセルとともに移動体端末にサービスを提供する。しかしながら、低電力ノードは送信電力、バックホール及びキャリアタイプ等の面において異なることにより、慣習的なネットワークアーキテクチャの複雑さが大幅に向上され、移動体端末の移動状態推定を含む多くのメカニズムの性能は大いに影響されている。よって、本発明では、異種混合ネットワークの上記特徴に対して、異種混合ネットワークにおけるセル基地局のタイプにより、移動体端末の移動状態推定を含む多くのメカニズムを最適化することができる。このために、異種混合ネットワークにおけるセル基地局のタイプを識別する必要がある。
【００４０】
現在のＬＴＥ標準では、移動体端末は、セル識別子により異なるセル基地局を区分することができる。しかしながら、セル識別子においてセル基地局のタイプに関する情報が含まれていない。よって、従来技術では、移動体端末は、セル基地局のタイプを識別することができない。これにより、本発明は、セル基地局のタイプを識別する多種類の方式を提出する。
【００４１】
本発明の１つの実施例によれば、移動体端末は、セル基地局の送信電力によりセル基地局のタイプを識別してもよい。異なるタイプのセル基地局は送信電力が異なり、送信電力によりセル基地局をマイクロ基地局、ピコ基地局、中継基地局、フェムトセル基地局、リモートラジオユニット等に区分しても良い。これらのセル基地局の送信電力の典型的な値は下記の表１に示されている。
【００４２】
【表１】
0005991446.tif 000002
【００４３】
表１に示すように、セル基地局の送信電力により低電力ノード及びマクロ基地局を区分してもよい。以下、如何にセル基地局の送信電力によりセル基地局のタイプを識別するかについて具体的に説明する。
【００４４】
セル基地局のセル固有参照信号ＣＲＳの送信電力は、システム情報ブロックＳＩＢ２に指示されてもよく、移動体端末自身とセル基地局との間の経路損失を計算することができる。よって、上記セル基地局のセル固有参照信号ＣＲＳの送信電力により、セル基地局の送信電力を計算することができ、低電力ノードとマクロ基地局とを区分することができる。また、セル基地局の送信電力をセルのカバレッジにマップすることにより、セルのカバレッジを得ることができる。
【００４５】
本実施例によれば、移動体端末においてセル基地局の送信電力によりセル基地局のタイプを識別することができ、それは簡単で効果的であり、且つ現有の標準を変化する必要がない。
【００４６】
本発明の１つの実施例によれば、スモールセル密集度評価ユニット１０２は、移動体端末にサービスを提供する基地局からセルタイプを指示するセルタイプ情報を受信し、セルタイプ情報により目標セルのタイプを判定してもよい。
【００４７】
セルタイプ情報、例えばセルレベル識別子は、セル基地局のタイプを直接に指示するように、システム情報ブロックに追加されてもよい。例えば、異なるレベルのセルに番号を付けてもよく、例えば、マクロ基地局のセルレベル番号を００に設置し、マイクロ基地局のセルレベル番号を０１に設置し、ピコ基地局のセルレベル番号を１０に設置し、中継基地局のセルレベル番号を１１に設置する。また、セルタイプ情報は、現在セルのシステム情報でブロードキャストされてもよいし、測定制御情報の隣接セル構成情報に追加されてもよい。
【００４８】
図１に戻って参照すると、装置１００における移動状態推定ユニット１０４は、移動体端末の移動状態を推定するように、推定されるスモールセルの密集度により、移動状態推定方式を確定してもよい。
【００４９】
以上のように、スモールセル密集度評価ユニット１０２は移動体端末が位置する領域内におけるスモールセルの密集度を評価し、移動状態推定ユニット１０４は、移動体端末の移動状態を推定するように、推定されるスモールセルの密集度により移動体端末の移動状態推定方式を確定してもよく、これにより、移動体端末の移動状態推定の性能が向上される。以下、如何に推定されるスモールセルの密集度により移動体端末の移動状態推定方式を確定するかについて具体的に説明する。
【００５０】
本発明の１つの実施例によれば、移動状態推定ユニット１０４は、評価されるスモールセルの密集度が低い場合、移動体端末がマクロセルの間で切り替え又は再選択する回数のみを計数し、移動体端末がマクロセル間での切り替え又は再選択する回数により移動体端末の移動状態を推定する。
【００５１】
評価されたスモールセルの密集度が低いと評価されると、密集しないで配置されるスモールセルが位置する異種混合ネットワークは慣習的な同質ネットワークとそれほど大きく相違しない可能性がある。よって、この場合、スモールセルの密集度が低いため、スモールセルがネットワークに与える影響は極めて限られるので、移動体端末がマクロセル間で切り替え又は再選択する回数のみを計数してもよい。そして、移動体端末がマクロセル間で切り替え又は再選択する回数により、移動体端末の移動状態を推定してもよい。本実施例の方式によれば、スモールセルが希少に分布する場合に良好な効果を得ることができ、且つ容易に実現できる。
【００５２】
本発明の１つの実施例によれば、移動状態推定ユニット１０４は、評価されるスモールセルの密集度が高い場合、移動体端末がサービスを得るスモールセルの位置情報により、移動体端末の移動距離を推定し、且つ移動体端末の移動距離により移動体端末の移動状態を推定してもよい。
【００５３】
異種混合ネットワークにおいてスモールセル配置の密集度の増加につれて、スモールセルが異種混合ネットワークに与える影響も大きくなる。よって、異種混合ネットワークにおいてスモールセルの密集度が高い場合、移動体端末の移動状態推定の正確さを向上するために、移動体端末がサービスを得るスモールセルの位置情報により、移動体端末の移動距離を推定してもよい。上述のように、移動体端末は、スモールセルに切り替え又は再選択することによりスモールセルからサービスを得て、又はスモールセルを通ってキャリアアグリゲーション、二重接続及び多地点協調送信の中の少なくとも１つを行なうことによりスモールセルからサービスを取得しても良い。そして、移動体端末の移動距離により移動体端末の移動状態を推定してもよい。本実施例によれば、スモールセルの位置情報をさらに利用しているため、移動体端末の移動状態推定の正確さを向上することができる。
【００５４】
上記分析から分かるように、評価されるスモールセルの密集度により移動体端末の移動状態推定方式を確定することができ、確定された移動状態推定方式同士はよく補い合われ、異なる状況下の移動状態推定の性能を共同に確保することができ、異種混合ネットワークにおいて移動状態推定に生じる問題が解決される。
【００５５】
本発明の１つの実施例によれば、移動状態推定ユニット１０４は、移動体端末がマクロセルの間で切り替え又は再選択する回数、及びスモールセルからサービスを得る回数を計数し、移動体端末がマクロセルの間で切り替え又は再選択する回数、及びスモールセルからサービスを得る回数の重付和により移動体端末の移動状態を推定し、ここで、重付和を計算するように、推定されるスモールセルの密集度により、スモールセル及びマクロセルのセル重み因子を自己適応に調整する。
【００５６】
移動体端末の移動状態を推定するために、移動体端末がマクロセルの間で切り替え又は再選択する回数、及びスモールセルからサービスを得る回数をそれぞれ計数し、スモールセル及びマクロセルのセル重み因子により、移動体端末がマクロセルの間で切り替え又は再選択する回数、及びスモールセルからサービスを得る回数の重付和を計算し、計算された重付和により移動体端末の移動状態を推定してもよい。よって、スモールセル及びマクロセルのセル重み因子の設置により、移動体端末の移動状態推定の性能が大きく影響されるため、単一セットのセル重み因子は多種類の異種混合ネットワークにおける多種類の状況に適応しなくなる。移動体端末の移動状態推定の性能を向上するために、推定されたスモールセルの密集度により、上記重付和を計算するようにスモールセル及びマクロセルのセル重み因子を自己適応に調整してもよい。本実施例によれば、多種類の異種混合ネットワークにおける多種類の状況に適応するように、スモールセル及びマクロセルのセル重み因子は、スモールセルの密集度により自己適応に調整されてもよい。
【００５７】
また、上述のように、３ＧＰＰのスモールセル増強において、最初のシナリオはさらに広げられる。例えば、スモールセル増強にキャリアアグリゲーションのシナリオが取り入れられ、該シナリオでは、理想のバックホール（ｂａｃｋｈａｕｌ）及び非理想のバックホール（ｂａｃｋｈａｕｌ）がさらに考慮される。また、スモールセル増強において二重接続のシナリオがさらに取り入れられる。また、スモールセル増強において多地点協調送信のシナリオ等がさらに取り入れられる。よって、未来の異種混合ネットワークアーキテクチャでは、スモールセルとマクロセルとの間の協働モードがさらに豊富になるため、移動状態推定は、例えば、キャリアアグリゲーション、二重接続及び多地点協調送信のシナリオにおいてさらに広げられる必要がある。
【００５８】
慣習的な移動状態推定は、成功したセル再選択またはセル切り替えの回数に基づいている。しかしながら、未来の異種混合ネットワークでは、大量の低電力ノード及びマクロセルは、各種のモードによって移動体端末を協働にサービスするようになっている。よって、多くの場合に、移動体端末は、１つのスモールセルに切り替え又は再選択することによりこのスモールセルからサービスを得るのではなく、接続状態の移動体端末はキャリアアグリゲーション、二重接続及び多地点協調送信の中の少なくとも１つのモードによりスモールセルからサービスを得るのである。
【００５９】
接続状態の移動体端末があるスモールセルからサービスを得ることは、移動体端末がこのスモールセルのカバレッジ内にあるという意味である。しかしながら、慣習的な移動状態推定の方式により、移動体端末がセル切り替え又は再選択によりあるスモールセルに切り替え又は再選択する場合、即ち、移動体端末の主サービスセルが該スモールセルである場合に限って、該切り替え又は再選択は計数される。これにより、多くの他のシナリオ、例えば、キャリアアグリゲーション、二重接続及び多地点協調送信等は、移動状態推定の考慮範囲から排除されてしまう。よって、未来の異種混合ネットワークの変更傾向を考慮に入れて、本発明では、移動体端末の移動状態推定を行なう場合、移動体端末は、スモールセルに切り替え又は再選択することによりスモールセルからサービスを得て、又はスモールセルを通ってキャリアアグリゲーション、二重接続及び多地点協調送信の少なくとも１つの方式を行なうことによりスモールセルからサービスを得ても良い。
【００６０】
具体的に、移動体端末の移動状態推定を行なう場合、移動体端末がセルに切り替え又は再選択する回数だけでなく、キャリアアグリゲーション、二重接続及び多地点協調送信の中の少なくとも１つにおいて、接続状態の移動体端末が１つのスモールセルからサービスを得る（例えば、キャリアアグリゲーションのモードに、スモールセルは移動体端末に１つのメンバーキャリアを割り当てるなど）場合も考慮されるべきである。
【００６１】
本発明の１つの実施例によれば、移動状態推定ユニット１０４は、所定領域を単位として移動体端末がスモールセルからサービスを得る回数を累算し、累算した結果が所定計数閾値よりも大きい場合、移動体端末が該所定領域内においてスモールセルからサービスを得られると確定する。
【００６２】
移動体端末が所定領域内にサービスを得る目標セルはスモールセルである回数を累算し、累算した結果を、移動状態推定と並行するように、スモールセルからサービスを得られるか否かを判定する他の基準とする。具体的な例として、各スモールセルクラスタを単位として、移動体端末が第１のスモールセルクラスタからもう１つのスモールセルクラスタに切り替えた後、計算を再開始するように、第１のスモールセルクラスタ内にスモールセルからサービスを得る回数を累算した結果をクリアし、又は、該累算の結果を所定時間帯で保留し、移動体端末が所定時間帯内に第１のスモールセルクラスタに再び切り替える場合、記憶される第１のスモールセルクラスタ内にスモールセルからサービスを得る回数の累算結果を継続に利用する。また、マクロセルが任意のスモールセルクラスタにも属しないため、移動体端末がマクロセルに再び切り替える場合は、スモールセルクラスタの間の切り替えに関わらない。ここで、上記スモールセルクラスタを所定領域とすることは例示に過ぎず、他の領域を所定領域にしてもよく、例えば、マクロ基地局のカバレッジを所定領域としてもよい。
【００６３】
以下、移動体端末がもう１つのスモールセルクラスタに切り替えることについて具体的に説明する。
【００６４】
本発明の１つの実施例によれば、どのスモールセルが互いに隣接するかを指示するスモールセルクラスタの情報により、移動体端末がもう１つのスモールセルクラスタに切り替えるか否かを判定してもよい。
【００６５】
例えば、移動体端末が切り替えられてなるスモールセルの識別子をスモールセルクラスタの情報に含まれるスモールセルの識別子に比べることにより、移動体端末が他の１つのスモールセルクラスタに切り替えられるか否かを判定してもよい。
【００６６】
本発明の１つの実施例によれば、スモールセルの位置情報により移動体端末が切り替えを行なう２つの前記スモールセルの間の距離を確定し、確定された２つのスモールセルの間の距離により移動体端末がもう１つのスモールセルクラスタに切り替えるか否かを判定する。
【００６７】
例えば、移動体端末が以前に接続したソースセルの位置情報、及び移動体端末が切り替えられる目標セルの位置情報により、移動体端末が切り替えを行なう２つのスモールセルの間の距離を確定しても良い。切り替えを行なう２つスモールセル間の距離が大きすぎると、移動体端末がもう１つのスモールセルクラスタに切り替えると確定される。
【００６８】
本発明の１つの実施例によれば、移動体端末が連続に切り替え失敗、又は所定時間帯内に複数回の切り替え失敗に出会う場合、計数を再開始するように、該スモールセルクラスタ内にスモールセルからサービスを得る回数を累算する結果をクリアしてもよい。
【００６９】
移動体端末がもう１つのスモールセルクラスタに切り替えた後、計数を再開するために、第１のスモールセルクラスタ内にスモールセルからサービスを得る回数を累算した結果をクリアする必要がある以外に、移動体端末が連続切り替え失敗、又は所定時間帯内に複数回切り替え失敗に出会う場合に、計数を再開するために、第１のスモールセルクラスタ内にスモールセルからサービスを得る回数を累算する結果をクリアする必要がある。
【００７０】
本発明の１つの実施例によれば、移動状態推定ユニット１０４は、スモールセルからサービスを得られるか否かを判定するための他の判定条件（例えば、移動状態推定結果）に関わらず、スモールセルクラスタ内にスモールセルからサービスを得る回数を累算した結果を所定計数閾値に比べ、該累算結果が所定計数閾値よりも大きいであれば、移動体端末がスモールセルからサービスを得られると確定する。
【００７１】
現在では、移動体端末においてスモールセル切り替えのタイプは移動状態推定の結果によって決まるが、移動状態推定メカニズムは推定エラーを招く可能性がある。例えば、移動体端末がビル内のエレベータで移動する場合、各階に１回の切り替え又は再選択が発生する可能性がある。切り替え又は再選択のみに基づいて計数する移動状態推定戦略では、このような状況を高速移動状態に誤って判定し、移動体端末がスモールセルにアクセスすることを禁止してしまう可能性がある。しかしながら、実際に、移動体端末がスモールセルクラスタ内において成功に複数回切り替えられると、移動体端末自体の移動状態はスモールセル切り替えに適すると証明される。よって、所定領域内にスモールセルからサービスを得る回数の累算結果を移動状態推定と並行する他の単独の推定基準にしてもよい。所定範囲内に、例えば、１つのスモールセルクラスタ内に、スモールセルからサービスを得る回数の累算結果が所定計数閾値を超えると、移動体端末が該スモールセルクラスタ内にスモールセルからサービスを複数回成功して得ることを表す。さらに、移動体端末がスモールセルからサービスを複数回得られる以上、移動体端末自体の移動状態はスモールセル配置シナリオにおいて移動性要求を必ず満たす。よって、この場合、現在移動状態推定の結果により移動体端末がスモールセルからサービスを得られないと判定するとしても、移動状態推定の結果を考慮しなくてもよく、即ち、スモールセルからサービスを得られるか否かの他の判定条件、例えば、移動状態推定の結果に関わらず、所定領域内にスモールセルからサービスを得る回数の累算結果が所定計数閾値よりも大きければ、移動体端末がスモールセルからサービスを得られると確定する。
【００７２】
以下、図２を参照して本発明の実施例に係る無線通信システムにおける装置のもう１つの構成を説明する。図２は本発明の実施例に係る無線通信システムにおける装置のもう１つの構成を示すブロック図である。
【００７３】
図２に示すように、無線通信システムにおける装置２００は、スモールセル密集度評価ユニット２０２、移動状態推定ユニット２０４及び移動性管理ユニット２０６を備える。ここで、装置２００におけるスモールセル密集度評価ユニット２０２及び移動状態推定ユニット２０４の構成は、それぞれ図１に示す装置１００におけるスモールセル密集度評価ユニット１０２及び移動状態推定ユニット１０４の構成と同じであるため、それを具体的に説明しない。以下、装置２００における移動性管理ユニット２０６を詳しく説明する。
【００７４】
図２に示すように、移動性管理ユニット２０６は、推定されるスモールセルの密集度により、フリー状態の移動体端末によるセル再選択を制御し、及び／又は移動状態推定の結果により接続状態の移動体端末によるセル切り替えを制御してもよい。
【００７５】
フリーモードでは、移動性管理は移動体端末に制御され、主にセル再選択メカニズムに関する。推定されるスモールセルの密集度によりフリー状態の移動体端末によるセル再選択を制御してもよい。以下、スモールセルの密集度によりフリー状態の移動体端末によるセル再選択を制御することについて説明する。
【００７６】
本発明の１つの実施例によれば、移動性管理ユニット２０６は、推定されるスモールセルの密集度が高い場合に、フリー状態の移動体端末がスモールセルに対してセルサーチ及び／又はセル測定することを禁止し、推定されるスモールセルの密集度が低い場合、フリー状態の移動体端末がスモールセルに対してセルサーチ及び／又はセル測定をすることを許可してもよい。
【００７７】
移動体端末はスモールセル配置の密集度が高いシナリオにある場合、スモールセルの信号品質は、一般的にマクロセルの信号品質よりも高いので、移動体端末のセル再選択がトリガされる。しかしながら、スモールセルが密集に配置されるため、セル再選択が頻繁にトリガされる可能性があるので、移動体端末の消費電力が増加する。よって、スモールセルの密集度が高い場合に、移動体端末の消費電力を低減するために、フリー状態の移動体端末がスモールセルに対してセルサーチ及び／又はセル測定を行なうことを禁止し、マクロセルとの接続をできるだけ維持させる。また、スモールセルの密集度が低い場合、フリー状態の移動体端末がスモールセルに対してセルサーチ及び／又はセル測定を行なうことを許可してもよい。
【００７８】
本発明の１つの実施例によれば、移動性管理ユニット２０６は、推定されるスモールセルの密集度が高い場合、マクロセルのサービス品質が第１の所定閾値よりも低く、又はスモールセルのサービス品質とマクロセルのサービス品質との差が所定第２の所定閾値よりも高いであると、フリー状態の移動体端末がスモールセルに対してセルサーチ及び／又はセル測定を行なうことを許可する。
【００７９】
また、幾つかの場合には、スモールセルはよりよいネットワークカバレッジを提供する。よって、スモールセルの密集度が高い場合、マクロセルのサービス品質が第１の所定閾値よりも低く、又はスモールセルのサービス品質とマクロセルのサービス品質との差が所定第２の所定閾値よりも高いであると、フリー状態の移動体端末がスモールセルに対してセルサーチ及び／又はセル測定を行なうことを許可する。
【００８０】
接続状態において、慣習的な移動性管理は基地局により制御され、主に、セル切り替えメカニズムに関する。以上のように、異種混合ネットワークの取り入れは、セル切り替えに対して極大の影響を与えており、切り替え失敗確率の向上により移動体端末の移動性を確保することができなくなる。ネットワークでは、移動体端末ユーザの体験に直接に影響するのは、切り替え失敗確率ではなく、切り替え失敗及びその回数である。よって、異種混合ネットワークにおいて移動体端末ユーザの体験を向上することは、移動性管理の重要な方面の１つであるようになる。セル切り替えを行なう場合、主な影響要素は移動体端末の移動状態である。よって、移動体端末は、移動体端末の移動状態の推定結果により、接続状態において移動体端末のセル切り替えを制御してもよい。
【００８１】
異種混合ネットワークにおいて切り替えは次の特徴を有する。即ち、移動体端末は速度が速いほど、スモールセルに切り替えることに適しないようになる。移動体端末の速度の向上につれて、スモールセル内において移動体端末の滞留時間、切り替えの反応時間は大幅に短くなる。また、スモールセルは、限られた送信電力により、カバレッジが限られる。よって、高速の移動体端末にとって、スモールセルにアクセスしようとすると、無線リンク失敗が生じやすいため、切り替えが失敗になるだけでなく、マクロセルに再び切り替えられやすい結果、ピンポン切り替えが招かれる。よって、接続状態の移動体端末によるセル切り替えを制御する場合、移動体端末の移動状態推定の結果を考慮する必要がある。
【００８２】
以下、図３を参照して本発明の実施例に係る無線通信システムにおける装置のもう１つの構成を説明する。図３は本発明の実施例に係る無線通信システムにおける装置のもう１つの構成を示すブロック図である。
【００８３】
図３に示すように、無線通信システムにおける装置３００は、スモールセル密集度評価ユニット３０２、移動状態推定ユニット３０４、移動性管理ユニット３０６及びビジネスタイプ区分ユニット３０８を備える。これにおいて、装置３００におけるスモールセル密集度評価ユニット３０２、移動状態推定ユニット３０４及び移動性管理ユニット３０６の構成は、図２に示す装置２００におけるスモールセル密集度評価ユニット２０２、移動状態推定ユニット２０４及び移動性管理ユニット２０６の構成とそれぞれ同じであるため、ここで具体的に説明しない。以下、装置３００におけるビジネスタイプ区分ユニット３０８を詳しく説明する。
【００８４】
図３に示すように、ビジネスタイプ区分ユニット３０８は、移動体端末でのビジネスの時間遅延感度により移動体端末でのビジネスを異なるビジネスタイプに区分してもよい。
【００８５】
従来技術では、セル切り替えを行なう場合、移動体端末が位置するリンクの品質を考慮したが、移動体端末のビジネスタイプを考慮していない。しかしながら、実際に、移動体端末のビジネスタイプは、特に異種混合ネットワークの環境に、移動体端末においてセル切り替えを影響する。例えば、移動体端末のビジネスタイプを高時間遅延感度及び低時間遅延感度との２つのタイプに区分してもよい。例えば、時間遅延感度が高いビジネスは、セッションタイプ及びストリーミングメディアタイプのビジネスを備えてもよく、時間遅延感度が低いビジネスは、対話タイプ及びバックグラウンドタイプのビジネスを備えてもよい。時間遅延感度が高いビジネスは、時間遅延に対して低い許容度を有するため、時間遅延感度が高いビジネスを行なっている移動体端末に対しては、頻繁にセル切り替えを行なうことをできるだけ避けることが好ましい。また、時間遅延感度の低いビジネスは時間遅延に対して高い許容度を有するため、時間遅延感度の低いビジネスを行なっている移動体端末に対しては、分流のために、スモールセルに切り替えさせてもよい。よって、接続状態の移動体端末においてセル切り替えを制御する場合、移動体端末のビジネスタイプをさらに考慮してもよい。
【００８６】
例えば、移動体端末でのビジネスの時間遅延感度により移動体端末でのビジネスを時間遅延感度が高いビジネス及び時間遅延感度が低いビジネスに区分してもよい。また、時間遅延感度が高いビジネスの時間遅延感度係数を０に設置し、時間遅延感度の低いビジネスの時間遅延感度係数を１に設置してもよい。移動体端末のビジネスの時間遅延感度係数は、移動体端末のセル切り替え方式を確定する場合に参考として移動体端末の内部のみに用いられる。ここで、上記移動体端末でのビジネスの時間遅延感度により、移動体端末でのビジネスを時間遅延感度が高いビジネス及び時間遅延感度が低いビジネスに区分することは、例示に過ぎず、限定ではなく、移動体端末でのビジネスの時間遅延感度により移動体端末でのビジネスをさらに多いタイプに区分してもよい。
【００８７】
本発明の１つの実施例によれば、ビジネスタイプ区分ユニット３０８は、さらに、移動体端末において接続状態にある複数のビジネスの中の少なくとも１つは時間遅延感度が高い場合、移動体端末の全てのビジネスを高時間遅延感度に区分してもよい。
【００８８】
移動体端末に複数のビジネスが接続されていると、移動体端末の接続状態にある複数のビジネスの中の少なくとも１つは高時間遅延感度である場合、移動体端末の全てのビジネス整体を高時間遅延感度に区分してもよい。これにより、移動体端末においてビジネスの時間遅延感度の要求が全体として満足される。
【００８９】
本発明の１つの実施例によれば、移動性管理ユニット３０６は、さらに、移動体端末の移動状態の推定結果及びビジネスタイプにより、接続状態の移動体端末が切り替え可能な目標セルを選別し、移動体端末のセル切り替えを行なうように、選別された目標セルに対してセル測定及び／又は測定報告行なってもよい。
【００９０】
移動体端末は、ネットワーク側から測定制御情報に提供される隣接セルのリスト構成情報を受信した後、これに基づき、隣接スモールセルのタイプを判定してもよく、例えば、これは隣接スモールセルのセルレベル識別子を照会することにより実現される。そして、移動体端末は、それ自体の移動状態を推定し、且つ移動体端末の移動状態推定結果及びビジネスタイプにより、接続状態の移動体端末が切り替え可能な目標セルを選別し、移動体端末のセル切り替えを行なうように選別された目標セルに対してセル測定及び／又は測定報告を行なってもよく、これにより、不必要な測定が減少され、移動体端末のセル切り替えがより目的を持つようになる。
【００９１】
異種混合ネットワークにおいてセル切り替え方式について、表２には、１つの具体的な例示が示されている。ここで、表２に示す異種混合ネットワークにおいてセル切り替え方式は例示に過ぎず、限定的なものではなく、他のセル切り替え方式を用いても良い。
【００９２】
【表２】
0005991446.tif 000003
【００９３】
表２に示すセル切り替え方式では、移動体端末の移動状態の推定結果を高速、中速及び低速に区分してもよい。本発明の１つの実施例によれば、移動体端末の移動状態の推定結果のみにより、接続状態の移動体端末のセル切り替えを制御してもよい。例えば、表２に示すように、高速の移動体端末に対して、セル切り替えを行なうとき、マクロ基地局及び中継基地局のみを目標セルとして、即ち、高速の移動体端末は、マクロ基地局、中継基地局のみに切り替えられ、低速の移動体端末に対して、マクロ基地局、中継基地局、マイクロ基地局を何れも目標セルとして、即ち、低速移動体端末はマクロ基地局、中継基地局及びマイクロ基地局の中の何れか１つに切り替えられる。また、表２に示すセル切り替え方式では、移動体端末でのビジネスを時間遅延感度の高いビジネスというタイプ及び時間遅延感度の低いビジネスというタイプに区分してもよい。本発明のさらにもう１つの実施例によれば、移動体端末の移動状態の推定結果及びビジネスタイプにより、接続状態にある前記移動体端末の切り替え可能な目標セルを選別し、選別された結果により前記移動体端末のセル切り替えを行ってもよい。例えば、表２に示すように、中速の移動体端末の時間遅延感度が高いビジネスタイプに対しては、セル切り替え時に、マクロ基地局及び中継基地局のみを目標セルとして、中速の移動体端末の時間遅延感度が低いビジネスタイプに対しては、セル切り替え時に、マクロ基地局、中継基地局及びマイクロ基地局を何れも目標セルとしてもよい。
【００９４】
以下、図４を参照して本発明の実施例に係る無線通信システムに用いる方法を説明する。図４は本発明の実施例に係る無線通信システムに用いる方法を示すフローチャートである。
【００９５】
図４に示すように、該方法はステップ４００から開始する。ステップ４００の後、該方法はステップ４０２に進む。
【００９６】
ステップ４０２はスモールセル密集度評価ステップである。ステップ４０２では、移動体端末が位置する領域内においてスモールセルの密集度を評価してもよい。
【００９７】
ステップ４０２の後、該方法はステップ４０４に進む。
【００９８】
ステップ４０４は移動状態推定ステップである。ステップ４０４では、移動体端末の移動状態を推定するように、推定されるスモールセルの密集度により移動状態推定方式を確定してもよい。
【００９９】
そして、該方法はステップ４０６で終了する。
【０１００】
図４に示す方法は図１に示す装置に対応する方法であるため、ここで具体的に説明しない。
【０１０１】
本発明の１つの実施例によれば、スモールセル密集度評価ステップ４０２では、移動体端末にサービスを提供する基地局から、どのスモールセルが互いに隣接するかを指示するスモールセルクラスタの情報を受信し、スモールセルクラスタの情報により移動体端末が位置する領域内においてスモールセルの密集度を評価してもよい。
【０１０２】
本発明の１つの実施例によれば、スモールセルクラスタの情報は、隣接セルリストに追加されるスモールセル識別子索引情報により指示されてもよく、スモールセル識別子索引情報は、隣接スモールセルが同じクラスタに属することを指示するように、隣接スモールセルのスモールセル識別子情報を備えてもよい。
【０１０３】
本発明の１つの実施例によれば、スモールセル密集度評価ステップ４０２では、移動体端末がスモールセルからサービスを得る履歴により、移動体端末が位置する領域内においてスモールセルの密集度を評価してもよい。
【０１０４】
本発明の１つの実施例によれば、スモールセル密集度評価ステップ４０２では、移動体端末がサービスを得る目標セルのタイプはスモールセルであるか否かを判定し、所定時間内に移動体端末がサービスを得る目標セルはスモールセルである回数を計数して、回数を所定回数閾値に比べることにより、移動体端末が位置する領域内においてスモールセルの密集度を評価してもよい。
【０１０５】
本発明の１つの実施例によれば、スモールセル密集度評価ステップ４０２では、移動体端末がサービスを得る目標セルのタイプはスモールセルであるか否かを判定し、移動体端末がサービスを得るスモールセルの位置情報により移動体端末がサービスを得るスモールセルの間の距離を判定し、距離を所定距離閾値に比較することにより、移動体端末が位置する領域内においてスモールセルの密集度を評価してもよい。
【０１０６】
本発明の１つの実施例によれば、所定距離閾値は移動体端末がサービスを得るスモールセルのカバレッジにより確定されてもよい。
【０１０７】
本発明の１つの実施例によれば、スモールセル密集度評価ステップ４０２では、さらに、移動体端末がサービスを得る目標セルの送信電力により、目標セルのタイプ及び／又はカバレッジを判定してもよい。
【０１０８】
本発明の１つの実施例によれば、スモールセル密集度評価ステップ４０２では、さらに、移動体端末にサービスを提供する基地局からセルタイプを指示するセルタイプ情報を受信し、セルタイプ情報により目標セルのタイプを判定してもよい。
【０１０９】
本発明の１つの実施例によれば、移動状態推定ステップ４０４では、さらに、評価されるスモールセルの密集度が低い場合、移動体端末がマクロセルの間で切り替え又は再選択する回数のみを計数し、移動体端末がマクロセルの間で切り替え又は再選択する回数により、移動体端末の移動状態を推定してもよい。
【０１１０】
本発明の１つの実施例によれば、移動状態推定ステップ４０４では、評価されるスモールセルの密集度が高い場合、移動体端末がサービスを得るスモールセルの位置情報により、移動体端末の移動距離を推定し、移動体端末の移動距離により、移動体端末の移動状態を推定する。
【０１１１】
本発明の１つの実施例によれば、移動状態推定ステップ４０４では、移動体端末がマクロセルの間で切り替え又は再選択する回数、及びスモールセルからサービスを得る回数を計数し、移動体端末がマクロセルの間で切り替え又は再選択する回数、及びスモールセルからサービスを得る回数の重付和により、移動体端末の移動状態を推定することができ、重付和を計算するように、推定されるスモールセルの密集度により、スモールセル及びマクロセルのセル重み因子は自己適応に調整される。
【０１１２】
本発明の１つの実施例によれば、移動状態推定ステップ４０４では、所定領域を単位として移動体端末がスモールセルからサービスを得る回数を累算し、累算結果が所定計数閾値よりも大きい場合、移動体端末が該所定領域内にスモールセルからサービスを得られると確定される。
【０１１３】
本発明の１つの実施例によれば、移動体端末は、スモールセルに切り替え又は再選択すること、及びスモールセルを通ってキャリアアグリゲーション、二重接続及び多地点協調送信の中の少なくとも１つを行なうことにより、スモールセルからサービスを得られる。
【０１１４】
以下、図５を参照して本発明のもう１つの実施例に係る無線通信システムに用いる方法のプロセスを説明する。図５は、本発明のもう１つの実施例に係る無線通信システムに用いる方法を示すフローチャートである。
【０１１５】
図５に示すように、無線通信システムに用いる方法は、スモールセル密集度評価ステップ５０２、移動状態推定ステップ５０４及び移動性管理ステップ５０６を備える。該方法におけるスモールセル密集度評価ステップ５０２及び移動状態推定ステップ５０４のプロセスは、図４に示す方法におけるスモールセル密集度評価ステップ４０２及び移動状態推定ステップ４０４のプロセスとそれぞれ同じであるため、ここで、それらを具体的に説明しない。以下、該方法における移動性管理ステップ５０６を詳しく説明する。
【０１１６】
図５に示すように、移動性管理ステップ５０６では、推定されるスモールセルの密集度によりフリー状態の移動体端末のセル再選択を制御し、及び／又は移動状態の推定結果により接続状態の移動体端末のセル切り替えを制御する。
【０１１７】
本発明の１つの実施例によれば、移動性管理ステップ５０６では、推定されるスモールセルの密集度が高い場合に、フリー状態の移動体端末がスモールセルに対してセルサーチ及び／又はセル測定を行うことを禁止し、推定されるスモールセルの密集度が低い場合に、フリー状態の移動体端末がスモールセルに対してセルサーチ及び／又はセル測定を行うことを許可する。
【０１１８】
本発明の１つの実施例によれば、移動性管理ステップ５０６では、さらに、推定されるスモールセルの密集度が高い場合、マクロセルのサービス品質が第１の所定閾値よりも低く、又はスモールセルのサービス品質とマクロセルのサービス品質との差が予め設定される第２の所定閾値よりも高いと、フリー状態の移動体端末がスモールセルに対してセルサーチ及び／又はセル測定を行うことを許可する。
【０１１９】
以下、図６を参照して本発明のもう１つの実施例に係る無線通信システムに用いる方法のプロセスを説明する。図６は本発明のもう１つの実施例に係る無線通信システムに用いる方法を示すフローチャートである。
【０１２０】
図６に示すように、無線通信システムに用いる方法は、スモールセル密集度評価ステップ６０２、移動状態推定ステップ６０４、移動性管理ステップ６０６及びビジネスタイプ区分ステップ６０８を備える。その中では、該方法におけるスモールセル密集度評価ステップ６０２及び移動状態推定ステップ６０４のプロセスは図５に示す方法におけるスモールセル密集度評価ステップ５０２及び移動状態推定ステップ５０４のプロセスとそれぞれ同じである、ここで具体的に説明しない。以下、該方法における移動性管理ステップ６０６及びビジネスタイプ区分ステップ６０８を詳しく説明する。
【０１２１】
図６に示すように、ビジネスタイプ区分ステップ６０８では、移動体端末においてビジネスの時間遅延感度により移動体端末においてビジネスを異なるビジネスタイプに区分してもよく、移動性管理ステップ６０６では、移動体端末の移動状態の推定結果及びビジネスタイプにより、接続状態にある移動体端末の切り替え可能な目標セルを選別し、移動体端末のセル切り替えを行うように選別後の目標セルに対してセル測定及び／又は測定報告を行ってもよい。
【０１２２】
以下、図７を組み合わせて本発明のもう１つの実施例に係る無線通信システムにおける装置の構成を説明する。図７は、本発明のもう１つの実施例に係る無線通信システムにおける装置の構成を示すブロック図である。
【０１２３】
図７に示すように、無線通信システムにおける装置７００は、スモールセル区分ユニット７０２及び送信ユニット７０４を備える。
【０１２４】
装置７００におけるスモールセル区分ユニット７０２は、互いに隣接するスモールセルをスモールセルクラスタに区分し、どのスモールセルが互いに隣接するかを指示するスモールセルクラスタの情報を形成する。
【０１２５】
異種混合ネットワークでは、多量のスモールセルがマクロセルのカバレッジ内に配置されており、移動体端末にサービスを提供する基地局は各スモールセルが配置される実際位置を知ることができる。よって、移動体端末にサービスを提供する基地局は、スモールセルが配置される実際位置により、分布距離が近く互いに隣接している複数のスモールセルを同じスモールセルクラスタに区分し、どのスモールセルが互いに隣接するかを指示するスモールセルクラスタの情報を形成する。スモールセルクラスタの情報により、該スモールセルクラスタに含まれるスモールセルの数及び各スモールセルの識別子情報を確定することができる。
【０１２６】
本発明の１つの実施例によれば、スモールセルクラスタの情報は、隣接セルリストに追加されるスモールセル識別子索引情報により指示され、スモールセル識別子索引情報は、隣接スモールセルが同じ同一クラスタに属することを指示するように、隣接スモールセルのスモールセル識別子情報を備えてもよい。
【０１２７】
隣接セルリスト又は他のシステム情報ブロックにおいてスモールセル識別子索引情報を追加することにより、スモールセルクラスタの情報を指示してもよい。例えば、互いに隣接する先頭のｍ個のスモールセルを第１のスモールセルクラスタに区分し、互いに隣接する次ぎのｎ個のスモールセルを第２のスモールセルクラスタに区分し、これにより類推する。ここで、ｍ及びｎは１以上の自然数である。スモールセル識別子索引情報は、該同じスモールセルクラスタに属する各隣接スモールセルのスモールセル識別子情報を備えてもよい。例えば、第１のスモールセルクラスタのスモールセル識別子情報は、第１のスモールセルクラスタに属する先頭のｍ個のスモールセルにおける各スモールセルの識別子情報を備えてもよく、第２のスモールセルクラスタのスモールセル識別子情報は、第２のスモールセルクラスタに属する次のｎ個のスモールセルにおける各スモールセルの識別子情報を備えてもよい。ここで、上記隣接セルリストに追加されるスモールセル識別子索引情報により、スモールセルクラスタの情報を指示する方式は例示的なものに過ぎず、限定的なものではなく、他の方式によりスモールセルクラスタの情報を指示してもよい。
【０１２８】
図７に戻って参照すると、装置７００における送信ユニット７０４は、さらに、スモールセルの位置情報及び／又は前記スモールセルのカバレッジに関連するパラメータ情報を移動体端末に送信してもよい。例えば、本発明の１つの実施例によれば、スモールセルのカバレッジに関連するパラメータ情報は、スモールセルの送信電力情報を備えてもよい。
【０１２９】
上述のように、異種混合ネットワークでは、大量のスモールセルがマクロセルのカバレッジ内に配置され、移動体端末にサービスを提供する基地局は、各スモールセルが配置される実際位置及び／又はスモールセルのカバレッジに関連するパラメータ情報を知られる。例えば、スモールセルのカバレッジに関連するパラメータ情報は、スモールセルの送信電力情報を備えてもよい。よって、移動体端末にサービスを提供する基地局は、スモールセルの位置情報及び／又は前記スモールセルのカバレッジに関連するパラメータ情報を移動体端末に送信してもよい。また、上述のように、セル基地局のセル固有参照信号ＣＲＳの送信電力はシステム情報ブロックＳＩＢ２に指示されてもよく、移動体端末自身とセル基地局との間の経路損失の計算に用いられる。よって、移動体端末にサービスを提供する基地局は、セル基地局のセル固有参照信号ＣＲＳの送信電力を移動体端末に送信し、移動体端末は、上記セル基地局のセル固有参照信号ＣＲＳの送信電力によりセル基地局の送信電力を推定してもよい。
【０１３０】
以下、図８を参照して本発明のもう１つの実施例に係る無線通信システムに用いる方法を説明する。図８は、本発明のもう１つの実施例に係る無線通信システムに用いる方法を示すフローチャートである。
【０１３１】
図８に示すように、該方法はステップ８００から開始する。ステップ８００の後に、該方法はステップ８０２に進む。
【０１３２】
ステップ８０２はスモールセル区分ステップである。ステップ８０２では、互いに隣接するスモールセルをスモールセルクラスタに区分し、どのスモールセルが互いに隣接するかを指示するスモールセルクラスタの情報を形成してもよい。
【０１３３】
ステップ８０２の後、該方法はステップ８０４に進む。
【０１３４】
ステップ８０４は送信ステップである。ステップ８０４では、スモールセルクラスタの情報を移動体端末に送信し、スモールセルクラスタの情報は移動体端末により移動体端末が位置する領域内におけるスモールセルの密集度を評価することに用いられる。
【０１３５】
そして、該方法はステップ８０６で終了する。
【０１３６】
図８に示す方法は図８に記載の装置と対応する方法であり、ここで具体的に説明しない。
【０１３７】
以下、図９を参照して本発明のもう１つの実施例に係る無線通信システムに用いる方法を説明する。図９は本発明のもう１つの実施例に係る無線通信システムに用いる方法を示すフローチャートである。
【０１３８】
図９に示すように、該方法はステップ９００から開始する。ステップ９００の後、該方法はステップ９０２に進む。
【０１３９】
ステップ９０２はスモールセル区分ステップである。ステップ９０２では、基地局装置は、互いに隣接するスモールセルをスモールセルクラスタに区分し、どれらのスモールセルが互いに隣接するかを指示するスモールセルクラスタの情報を形成してもよい。
【０１４０】
ステップ９０２の後、該方法はステップ９０４に進む。
【０１４１】
ステップ９０４は送信ステップである。ステップ９０４では、基地局装置はスモールセルクラスタの情報を移動体端末装置に送信してもよい。
【０１４２】
ステップ９０４の後、該方法はステップ９０６に進む。
【０１４３】
ステップ９０６はスモールセル密集度評価ステップである。ステップ９０６では、移動体端末装置は、基地局装置から受信したスモールセルクラスタの情報により移動体端末装置が位置する領域内におけるスモールセルの密集度を評価してもよい。
【０１４４】
ステップ９０６の後、該方法はステップ９０８に進む。
【０１４５】
ステップ９０８は移動状態推定ステップである。ステップ９０８では、移動体端末装置は、移動体端末装置の移動状態を推定するように、推定されるスモールセルの密集度により移動状態推定方式を確定してもよい。
【０１４６】
そして、該方法はステップ９１０で終了する。
【０１４７】
以下、本出願の具体的な実施例を説明する。下記の実施例は例示的なものに過ぎず、限定的なものではない。
【０１４８】
実施例１
移動体端末がネットワークに接続された後、移動体端末が位置する領域内におけるスモールセルの密集度を判定する必要がある。
【０１４９】
基地局補助の判定方法を用いる場合、マクロ基地局によりスモールセルクラスタの情報をブロードキャストすると、具体的に、スモールセルの密集度を判定するステップは、以下の通りである。
（１）移動体端末がマクロ基地局に接続された後、マクロ基地局によりブロードキャストされるシステム情報に基づき、移動体端末が位置する領域内におけるスモールセルクラスタの情報を取得し、
（２）移動体端末があるスモールセルのカバレッジに接近すると、該スモールセルの物理セル識別子をマクロ基地局によりブロードキャストされるスモールセルクラスタの情報とマッチングし、
（３）スモールセルクラスタの情報に含まれるスモールセルの数により、移動体端末の現在に位置する領域内におけるスモールセルの密集度を判定する。
【０１５０】
基地局補助の判定方法を用いる場合、スモールセル基地局によりスモールセルクラスタの情報をブロードキャストすると、具体的にスモールセル密集度を判定するステップは以下の通りである。
（１）移動体端末がマクロセルからあるスモールセルに切り替えた後、スモールセルにブロードキャストされるシステム情報を復調し、該システム情報は該スモールセルが属するスモールセルクラスタの情報を含み、
（２）移動体端末が該スモールセルクラスタの情報を復調し、スモールセルクラスタの情報に含まれるスモールセルの数により、移動体端末の現在位置している領域内におけるスモールセルの密集度を判定する。
【０１５１】
スモールセルの切り替え回数を計数する判断方法を用いる場合、具体的に、スモールセルの密集度を判定するステップは以下の通りである。
（１）移動体端末がソースセル及び目標セルのタイプを識別し、
（２）移動体端末がスモールセルに切り替え又は再選択する回数を計数し、移動体端末がスモールセルに成功に切り替え又は再選択すると、計数器に１を増加し、
（３）移動体端末は計数結果を設置される複数の所定閾値に比較し、比較結果により移動体端末の現在位置している領域内におけるスモールセルの密集度を判定し、
（４）移動体端末はもう１つのマクロセルに切り替え又は再選択するとき、計数器の値をクリアする。
【０１５２】
セル基地局の位置情報で補助する判定方法を用いる場合、具体的に、スモールセルの密集度を判定するステップは、
（１）移動体端末がソースセル及び目標セルのタイプを識別し、移動体端末が最近に成功に接続した幾つかのスモールセルを記録し、
（２）移動体端末がセル基地局の送信電力を推定し、且つセル基地局の送信電力によりセル基地局のカバレッジを推定し、移動体端末はセル基地局の位置情報及び推定されるセル基地局のカバレッジにより、移動体端末が成功に接続した２つのスモールセルは接近するか否かを判定し、
（３）移動体端末は、接続される複数のスモールセルが何れも接近すると判定すると、移動体端末の現在位置している領域内におけるスモールセルの密集度が高いと判定する。
【０１５３】
実施例２
移動体端末がスモールセルの密集度を判定した後、位置する領域内におけるスモールセルの密集度により移動体端末の移動状態推定方式を判定してもよい。その具体的なステップは以下の通りである。
（１）移動体端末が位置する領域内におけるスモールセルの密集度が低いと判定すると、ソースセル及び目標セルのタイプを識別し、
（２）所定時間窓内に、移動体端末がマクロセルに切り替える回数を計数し、計数結果により移動体端末の移動状態推定を行い、
（３）移動体端末はスモールセルが密集に配置される領域内に入ると、移動体端末が接続するスモールセルの位置情報を取得して記録し、最近に記録されるスモールセルの位置情報を組み合わせて、移動体端末の移動距離を推定し、移動体端末の移動状態推定を行うように、累積的な移動距離を設定される複数の所定閾値に比較し、
（４）移動体端末はスモールセルが密集に配置されていない領域に戻すと、移動状態評価方式をマクロセル間の切り替えの回数を計数する方式に再び切り替えてもよい。
【０１５４】
実施例３
実施例３は実施例２に対して、移動体端末がスモールセルの密集度により移動状態推定方式を切り替える必要がなく、シナリオによって異なる重み因子を設置することにおいて異なり、その具体的なステップは、以下の通りである。
（１）移動体端末はスモールセルが密集に配置されていない領域にあるとき、ソースセル及び目標セルのタイプを識別し、
（２）所定時間窓内に、移動体端末がマクロセル間で成功に切り替え又は再選択する回数、及びスモールセルからサービスを得る回数をセルの重み因子に基づき計数し、スモールセル及びマクロセルに異なるセル重み因子を割り当て、計数結果により移動状態推定を行い、
（３）移動体端末はスモールセルが密集に配置される領域に入ると、移動体端末はスモールセルの密集度によりもう１つのセットのセル重み因子を選択し、これにより、スモールセルのセル重み因子が適当に大きくなり、マクロセルのセル重み因子がそれに応じて小さくなり、調整後のセル重み因子により移動体端末がマクロセル間で成功に切り替え又は再選択する回数、及びスモールセルからサービスを得る回数をセル重み因子に基づいて計数し、計数結果により移動状態推定を行う。
【０１５５】
実施例４
移動体端末が高層オフィスビルにあり、ビルの各層が１つのスモールセルにカバーされると、
（１）移動体端末がビルの異なる階の間で移動すると、ビル内に複数のスモールセルのカバレッジが存在しているため、移動体端末は短時間内にセルを複数回に切り替え又は再選択し、
（２）セル切り替え又は再選択の回数の計数に基づく移動状態推定方式を用いると、移動状態推定の結果に基づき、該移動体端末が中高速移動体端末に分けられるため、本出願に提出された移動性管理戦略により、この種類の移動体端末はスモールセルに切り替えられず、
（３）しかしながら、移動体端末は該スモールセルクラスタに入ると、移動体端末が該スモールセルクラスタ内においてスモールセルからサービスを得る回数を累算し、新しいスモールセルからスモールセルサービスを得る毎に、計数器の値に１を増加し、
（４）移動体端末が第１のスモールセルクラスタを離れ、又はもう１つの新しいスモールセルクラスタに入ると、計数器をクリアし、又は、最近のスモールセルクラスタの計数からの結果を所定時間帯で保存し、移動体端末が所定時間帯内に第１のスモールセルクラスタに再び切り替えると、保存される第１のスモールセルクラスタ内にスモールセルからサービスをえる回数の累算結果を引き続いて利用し、
（５）移動体端末が連続して複数回失敗に遭遇すると、該スモールセルクラスタ内にスモールセルからサービスを得る回数の累算結果をクリアし、
【０１５６】
（６）ところが、上記シナリオでは、移動体端末が該スモールセルクラスタ内にスモールセルサービスを得る回数の累算結果は所定閾値を超えることは、移動体端末はスモールセルが密集に配置される領域においてスモールセルからサービスの成功を複数回得て、スモールセルのサービスを得られることを表すため、このとき、移動状態推定の結果によりスモールセルからサービスを得られないことを示しているとしても、スモールセルからサービスを得られるか否かを判定する他の判定条件、例えば移動状態推定結果に関わらず、移動体端末が該スモールセルクラスタ内にスモールセルサービスを得る回数の累算結果により、スモールセルからサービスを得られる。
【０１５７】
実施例５
移動体端末は最初に電源が入っていない状態であると、切り替え戦略を実行する具体的なステップは、
（１）移動体端末を電源投入し、最初の同期、ランダムアクセス、資源割り当ての後、ネットワークに接続し、
（２）移動体端末はネットワークとＲＲＣ接続を確立し、現在にビジネスが伝送されていると、移動体端末はＲＲＣ接続状態にあり、ビジネスが伝送されていないと、移動体端末がＲＲＣフリー状態にあり、
（３）移動体端末が現在セルのタイプを識別し、例えば、セル基地局の送信電力により推定し、又はセルのセルレベル識別子を照会し、
（４）移動体端末はスモールセルが密集に配置されている領域にあるか否かを判定し、
（５）移動体端末は、位置している領域内におけるスモールセルの密集度により、移動体端末の移動状態推定方式を確定し、
（６）移動体端末がＲＲＣフリー状態にあると、セル再選択が発生し、移動体端末がＲＲＣ接続状態にあると、セル切り替えが発生し、現在セルのサービス品質がある程度まで低下し、予め配置されるイベントのトリガ条件が満足されると、セル再選択又はセル切り替え過程がトリガされ、このとき、移動体端末は、移動体端末の移動性能を確保するように、具体的な状況により対応する戦略を実行し、
（７）移動体端末がＲＲＣフリー状態にあるとき、移動体端末はスモールセルが密集に配置される領域にあることを検出すると、フリー状態の移動体端末がスモールセルをセルサーチ及び／又はセル測定することを禁止し、移動体端末はスモールセルが密集に配置されていない領域にあることを検出すると、フリー状態の移動体端末がスモールセルをセルサーチ及び／又はセル測定することを許可し、
（８）移動体端末は移動体端末でのビジネス感度により、移動体端末でのビジネスを時間遅延感度が高いビジネスタイプ及び時間遅延感度が低いビジネスタイプに区分し、
（９）移動体端末は、移動状態推定結果及び移動体端末でのビジネスタイプにより、接続状態の移動体端末の切り替え可能な目標セルを選別し、移動体端末のセル切り替えを行うように、選別後の目標セルをセル測定及び／又は測定報告し、これにより、不必要な測定が減少され、切り替えがさらに目的があるようになる。
【０１５８】
また、本発明の実施例はプログラム製品をさらに提供し、該プログラム製品は、機械実行可能な命令をローディングしており、情報処理装置に上記命令を実行する場合、上記命令により、上記情報処理装置は、本発明の実施例に係る無線通信システムに用いる方法を実行する。
【０１５９】
また、本発明の実施例はさらに記憶媒体を提供し、該記憶媒体は、機械読み取り可能なプログラムコードを含み、情報処理装置に上記プログラムコードを実行する場合、上記プログラムコードにより、上記情報処理装置は、本発明の実施例に係る無線通信システムに用いる方法を実行する。
【０１６０】
それに応じて、上記機械読取可能な命令コードをロードしているプログラム製品を記憶する記憶媒体も本発明の公開に含まれている。前記記憶媒体は、フロッピー（登録商標）ディスク、光ディスク、光磁気ディスク、メモリカード、メモリスティック等を含むが、それらに限らない。
【０１６１】
本発明の実施例に係る無線通信システムにおける装置及びその構成部件は、ソフトウェア、ファームウェア、ハードウェア又はそれらの組み合わせにより構成されてもよい。構成する場合に利用可能な具体的な手段又は方式は、当業者に熟知されているため、ここで省略する。ソフトウェア又はファームウェアにより構成される場合は、記憶媒体又はネットワークから該ソフトウェアを構成するプログラムを、専用ハードウェア構造を有する情報処理装置（例えば図１０に示す情報処理装置１０００）にインストールする。このコンピュータは各種のプログラムをインストールした後、各種の機能等を実現できる。
【０１６２】
図１０は本発明の実施例を実行可能な情報処理装置を示す概略的なブロック図である。
【０１６３】
図１０において、中央処理装置（ＣＰＵ）１００１は、読取専用記憶媒体（ＲＯＭ）１００２に記憶されるプログラム又は記憶部１００８からランダムアクセスメモリ（ＲＡＭ）１００３にローディングするプログラムにより各種の処理を実行する。ＲＡＭ１００３は、必要に応じてＣＰＵ１００１が各種の処理等を実行する場合に必要なデータをも記憶する。ＣＰＵ  １００１、ＲＯＭ  １００２及びＲＡＭ  １００３はバス１００４を介して互いに接続される。入力／出力インタフェース１００５もバス１００４に接続される。
【０１６４】
入力部１００６（キーボード、マウス等を含む）、出力部１００７（例えば、陰極線管（ＣＲＴ）、液晶ディスプレイ（ＬＣＤ）等のディスプレイ、スピーカー等を含む）、記憶部１００８（ハードウェア等を含む）、通信部１００９（ネットワークインタフェースカード、例えば、ＬＡＮカード、モデム等を含む）は、入力／出力インタフェース１００５に接続される。通信部１００９は、ネットワーク、例えば、インターネットを介して通信処理を実行する。駆動装置１０１０は必要に応じて入力／出力インタフェース１００５に接続されてもよい。リムーバブルメディア１０１１、例えば、磁気ディスク、光ディスク、光磁気ディスク、半導体メモリ等は、必要に応じて駆動装置１０１０に実装され、これにより、それから読み出されるコンピュータプログラムは必要に応じて記憶部１００８にインストールされる。
【０１６５】
ソフトウェアにより上記一連の処理を実現する場合、ネットワーク、例えば、インターネット、又は、記憶媒体、例えば、リムーバブルメディア１０１１からソフトウェアを構成するプログラムをインストールする。
【０１６６】
ここで、このような記憶媒体は、図１０に示すプログラムが記憶され、ユーザにプログラムを提供するように装置から分離して配信するリムーバブルメディア１０１１に限らない。リムーバブルメディア１０１１は、例えば、磁気ディスク（フロッピーディスクを含む）、光ディスク（光ディスク読取専用記憶媒体（ＣＤ−ＲＯＭ）及びデジタル多用途ディスク（ＤＶＤ））、光磁気ディスク（ミニディスク（ＭＤ）（登録商標）を含む）及び半導体メモリを含む。又は、記憶媒体は、ＲＯＭ１００２、記憶部１００８に含まれるハードディスク等であってもよく、プログラムを記憶しており、それらを含む装置とともにユーザに配信される。
【０１６７】
上記命令のコードは機械に読み取って実行される場合に、上記本発明の実施例に係る無線通信システムに用いる方法が実行される。
【０１６８】
本発明の範囲及び趣旨から逸脱しない前提で当業者は様々な修正及び変形をすることができる。実施例の選択及び説明は、本発明の原理及び実際の応用を最適に解釈するためであり、当業者に理解させるためである。本発明は、要求の特定用途に適する各種の変化を有する各種の実施形態を有しても良い。
【０１６９】
本発明の１つの実施例によれば、移動体端末が位置する領域内におけるスモールセルの密集度を評価するスモールセル密集度評価ユニットと、前記移動体端末の移動状態を推定するように、評価される前記スモールセルの密集度により移動状態推定方式を確定する移動状態推定ユニットと、を備える無線通信システムにおける装置が提供される。
【０１７０】
上記装置によれば、前記スモールセル密集度評価ユニットは、さらに、前記移動体端末にサービスを提供する基地局からどれらのスモールセルが互いに隣接するかを指示するスモールセルクラスタの情報を受信し、前記スモールセルクラスタの情報により前記移動体端末が位置する領域内における前記スモールセルの密集度を評価する。
【０１７１】
上記装置によれば、前記スモールセルクラスタの情報は隣接セルリストに追加されるスモールセル識別子索引情報により指示され、前記スモールセル識別子索引情報は、隣接スモールセルが同じクラスタに属することを指示するように、隣接スモールセルのスモールセル識別子情報を含む。
【０１７２】
上記装置によれば、前記スモールセル密集度評価ユニットは、さらに、前記移動体端末がスモールセルからサービスを得る履歴により、前記移動体端末が位置する領域内における前記スモールセルの密集度を評価する。
【０１７３】
上記装置によれば、前記スモールセル密集度評価ユニットは、前記移動体端末がサービスを得る目標セルのタイプはスモールセルであるか否かを判定し、所定時間内に前記移動体端末がサービスを得る目標セルはスモールセルである回数を計数し、前記回数を所定回数閾値に比較することにより、前記移動体端末が位置する領域内における前記スモールセルの密集度を評価する。
【０１７４】
上記装置によれば、前記スモールセル密集度評価ユニットは、前記移動体端末がサービスを得る目標セルのタイプはスモールセルであるか否かを判定し、前記移動体端末がサービスを得るスモールセルの位置情報により、前記移動体端末がサービスを得るスモールセルの間の距離を判定し、前記距離を所定距離閾値に比較することにより、前記移動体端末が位置する領域内における前記スモールセルの密集度を評価する。
【０１７５】
上記装置によれば、前記所定距離閾値は、前記移動体端末がサービスを得るスモールセルのカバレッジにより決定される。
【０１７６】
上記装置によれば、前記スモールセル密集度評価ユニットは、さらに、前記移動体端末がサービスを得る前記目標セルの送信電力により、前記目標セルのタイプ及び／又はカバレッジを判定する。
【０１７７】
上記装置によれば、前記スモールセル密集度評価ユニットは、さらに、前記移動体端末にサービスを提供する基地局からセルタイプを指示するセルタイプ情報を受信し、前記セルタイプ情報により前記目標セルのタイプを判定する。
【０１７８】
上記装置によれば、前記移動状態推定ユニットは、さらに、評価される前記スモールセルの密集度が低い場合に、前記移動体端末がマクロセル間で切り替え又は再選択する回数のみを計数し、前記移動体端末がマクロセル間で切り替え又は再選択する回数により、前記移動体端末の移動状態を推定する。
【０１７９】
上記装置によれば、前記移動状態推定ユニットは、さらに、評価される前記スモールセルの密集度が高い場合に、前記移動体端末がサービスを得るスモールセルの位置情報により、前記移動体端末の移動距離を推定し、前記移動体端末の移動距離により、前記移動体端末の移動状態を推定する。
【０１８０】
上記装置によれば、前記移動状態推定ユニットは、さらに、前記移動体端末がマクロセル間で切り替え又は再選択する回数、及びスモールセルからサービスを得る回数をそれぞれ計数し、前記移動体端末がマクロセル間で切り替え又は再選択する回数、及びスモールセルからサービスを得る回数の重付和により、前記移動体端末の移動状態を推定し、ここで、推定される前記スモールセルの密集度により、前記重付和を計算するようにスモールセル及びマクロセルのセル重み因子を自己適応に調整する。
【０１８１】
上記装置によれば、前記移動状態推定ユニットは、さらに、所定領域を単位として移動体端末がスモールセルからサービスを得る回数を累算し、前記累算の結果が所定計数閾値よりも大きい場合、前記移動体端末が該所定領域内においてスモールセルからサービスを得られると確定する。
【０１８２】
上記装置によれば、前記移動体端末は、スモールセルに切り替え又は再選択すること、スモールセルを通ってキャリアアグリゲーション、二重接続及び多地点協調送信の中の少なくとも１つを行なうことにより前記スモールセルからサービスを得る。
【０１８３】
上記装置によれば、前記移動状態推定ユニットは、さらに、スモールセルクラスタを単位として移動体端末がスモールセルからサービスを得る回数を累算し、移動体端末が第１のスモールセルクラスタからもう１つのスモールセルクラスタに切り替えた後、計数を再開するように、第１のスモールセルクラスタ内にスモールセルからサービスを得る回数の累算結果をクリアし、又は該累算結果を所定時間帯で保存し、移動体端末が所定時間帯内に第１のスモールセルクラスタに再び切り替える場合、保存される、第１のスモールセルクラスタ内にスモールセルからサービスを得る回数の累算結果を引き続いて利用する。
【０１８４】
上記装置によれば、どれらのスモールセルが互いに隣接するかを指示するスモールセルクラスタの情報により、前記移動体端末がもう１つのスモールセルクラスタに切り替えるか否かを判定する。
【０１８５】
上記装置によれば、前記スモールセルの位置情報により前記移動体端末が切り替えを行う２つの前記スモールセルの間の距離を確定し、確定された２つの前記スモールセルの間の距離により、前記移動体端末がもう１つのスモールセルクラスタに切り替えるか否かを判定する。
【０１８６】
上記装置によれば、前記移動体端末が連続切り替え失敗、又は所定時間帯に複数回切り替え失敗に出会う場合に、計数を再開するように該スモールセルクラスタ内にスモールセルからサービスを得る回数の累算結果はクリアされる。
【０１８７】
上記装置によれば、さらに、推定される前記スモールセルの密集度によりフリー状態の前記移動体端末のセル再選択を制御し、及び／又は前記移動状態の推定結果により接続状態の前記移動体端末のセル切り替えを制御する移動性管理ユニットを備える。
【０１８８】
上記装置によれば、前記移動性管理ユニットは、さらに、推定される前記スモールセルの密集度が高い場合にフリー状態の前記移動体端末が前記スモールセルをセルサーチ及び／又はセル測定することを禁止し、推定される前記スモールセルの密集度が低い場合にフリー状態の前記移動体端末が前記スモールセルをセルサーチ及び／又はセル測定することを許可する。
【０１８９】
上記装置によれば、前記移動性管理ユニットは、推定される前記スモールセルの密集度が高い場合、マクロセルのサービス品質が第１の所定閾値よりも低く、又は前記スモールセルのサービス品質とマクロセルのサービス品質との差が第２の所定閾値よりも高いと、フリー状態の前記移動体端末が前記スモールセルをセルサーチ及び／又はセル測定することを許可する。
【０１９０】
上記装置によれば、前記移動体端末でのビジネスの時間遅延感度により前記移動体端末でのビジネスを異なるビジネスタイプに区分するビジネスタイプ区分ユニットをさらに備え、前記移動性管理ユニットは、さらに、前記移動体端末の前記移動状態の推定結果及び前記ビジネスタイプにより、接続状態の前記移動体端末の切り替え可能な目標セルを選別し、前記移動体端末のセル切り替えを行うように選別後の目標セルをセル測定及び／又は測定報告する。
【０１９１】
上記装置によれば、前記ビジネスタイプ区分ユニットは、さらに、前記移動体端末の接続状態にある複数のビジネスの中の少なくとも１つが高時間遅延感度である場合、前記移動体端末のビジネス全体を高時間遅延感度に区分する。
【０１９２】
本発明のもう１つの実施例によれば、移動体端末が位置する領域内におけるスモールセルの密集度を評価するスモールセル密集度評価ステップと、前記移動体端末の移動状態を推定するように、推定される前記スモールセルの密集度により移動状態推定方式を確定する移動状態推定ステップと、を備える無線通信システムに用いる方法が提供される。
【０１９３】
上記方法によれば、前記スモールセル密集度評価ステップでは、前記移動体端末がスモールセルからサービスを得る履歴により前記移動体端末が位置する領域内における前記スモールセルの密集度を評価する。
【０１９４】
上記方法によれば、前記スモールセル密集度評価ステップでは、前記移動体端末がサービスを得る目標セルのタイプはスモールセルであるか否かを判定し、所定時間内に前記移動体端末がサービスを得る目標セルはスモールセルである回数を計数し、前記回数を所定回数閾値に比較することにより、前記移動体端末が位置する領域内における前記スモールセルの密集度を評価する。
【０１９５】
上記方法によれば、前記スモールセル密集度評価ステップでは、前記移動体端末がサービスを得る目標セルのタイプはスモールセルであるか否かを判定し、前記移動体端末がサービスを得るスモールセルの位置情報により前記移動体端末がサービスを得るスモールセルの間の距離を判定し、前記距離を所定距離閾値に比較することにより前記移動体端末が位置する領域内における前記スモールセルの密集度を評価する。
【０１９６】
上記方法によれば、前記移動状態推定ステップでは、評価される前記スモールセルの密集度が低い場合に、前記移動体端末がマクロセルの間で切り替え又は再選択する回数のみを計数し、前記移動体端末がマクロセルの間で切り替え又は再選択する回数により前記移動体端末の移動状態を推定する。
【０１９７】
上記方法によれば、前記移動状態推定ステップでは、評価される前記スモールセルの密集度が高い場合、前記移動体端末がサービスを得るスモールセルの位置情報により前記移動体端末の移動距離を推定し、前記移動体端末の移動距離により前記移動体端末の移動状態を推定する。
【０１９８】
上記方法によれば、推定される前記スモールセルの密集度によりフリー状態の前記移動体端末のセル再選択を制御し、及び／又は前記移動状態の推定結果により接続状態の前記移動体端末のセル切り替えを制御する移動性管理ステップをさらに備える。
【０１９９】
本発明のもう１つの実施例によれば、互いに隣接するスモールセルをスモールセルクラスタに区分し、どのスモールセルが互いに隣接するかを指示するスモールセルクラスタの情報を形成するスモールセル区分ユニットと、前記スモールセルクラスタの情報を移動体端末に送信する送信ユニットと、を備え、前記スモールセルクラスタの情報は前記移動体端末により前記移動体端末が位置する領域内におけるスモールセルの密集度を評価することに用いられる無線通信システムにおける装置が提供される。
【０２００】
上記装置によれば、前記スモールセルクラスタの情報は、隣接セルリストに追加されるスモールセル識別子索引情報により指示され、前記スモールセル識別子索引情報は、隣接スモールセルが同じクラスタに属することを指示するように隣接スモールセル的スモールセル識別子情報を備える。
【０２０１】
上記装置によれば、前記送信ユニットは、さらに、前記スモールセルの位置情報及び／又は前記スモールセルのカバレッジに関するパラメータ情報を前記移動体端末に送信する。
【０２０２】
上記装置によれば、前記スモールセルのカバレッジに関するパラメータ情報は、前記スモールセルの送信電力情報を備える。
【０２０３】
本発明のもう１つの実施例によれば、無線通信システムに用いる方法であって、互いに隣接するスモールセルをスモールセルクラスタに区分し、どれらのスモールセルが互いに隣接するかを指示するスモールセルクラスタの情報を形成するスモールセル区分ステップと、前記スモールセルクラスタの情報を移動体端末に送信する送信ステップと、を備え、前記スモールセルクラスタの情報は、前記移動体端末により前記移動体端末が位置する領域内におけるスモールセルの密集度を評価することに用いられる方法が提供される。
【０２０４】
本発明のもう１つの実施例によれば、互いに隣接するスモールセルをスモールセルクラスタに区分し、どれらのスモールセルが互いに隣接するかを指示するスモールセルクラスタの情報を形成するスモールセル区分ステップと、前記スモールセルクラスタの情報を移動体端末に送信する送信ステップと、を備え、前記スモールセルクラスタの情報は前記移動体端末により前記移動体端末が位置する領域内におけるスモールセルの密集度を評価することに用いられる無線通信システムに用いる方法が提供される。
【０２０５】
本発明のもう１つの実施例によれば、基地局装置が互いに隣接するスモールセルをスモールセルクラスタに区分し、どのスモールセルが互いに隣接するかを指示するスモールセルクラスタの情報を形成するスモールセル区分ステップと、前記基地局装置が前記スモールセルクラスタの情報を移動体端末装置に送信する送信ステップと、前記移動体端末装置は前記基地局装置から受信した前記スモールセルクラスタの情報により前記移動体端末装置が位置する領域内におけるスモールセルの密集度を評価するスモールセル密集度評価ステップと、前記移動体端末装置の移動状態を推定するように、前記移動体端末装置は推定される前記スモールセルの密集度により移動状態推定方式を確定する移動状態推定ステップと、を備える無線通信システムに用いる方法が提供される。
【０２０６】
上記方法によれば、前記スモールセルクラスタの情報は隣接セルリストに追加されるスモールセル識別子索引情報により指示され、前記スモールセル識別子索引情報は、隣接スモールセルが同じクラスタに属することを指示するように隣接スモールセルのスモールセル識別子情報を備える。
【０２０７】
本発明のもう１つの実施例によれば、コンピュータ可読な命令を有するコンピュータ記憶媒体が提供され、コンピュータ命令により、コンピュータは、移動体端末が位置する領域内におけるスモールセルの密集度を評価するスモールセル密集度評価ステップと、前記移動体端末の移動状態を推定するように、推定される前記スモールセルの密集度により移動状態推定方式を確定する移動状態推定ステップと、を実行する。
【０２０８】
本発明のもう１つの実施例によれば、コンピュータ可読な命令を有するコンピュータ記憶媒体が提供され、コンピュータ命令により、コンピュータは、互いに隣接するスモールセルをスモールセルクラスタに区分し、どれらのスモールセルが互いに隣接するかを指示するスモールセルクラスタの情報を形成するスモールセル区分ステップと、前記スモールセルクラスタの情報を移動体端末に送信する送信ステップとを実行し、前記スモールセルクラスタの情報は、前記移動体端末により前記移動体端末が位置する領域内におけるスモールセルの密集度を評価する。
【０２０９】
本発明のもう１つの実施例によれば、コンピュータ可読な命令を有するコンピュータ記憶媒体が提供され、コンピュータ命令により、コンピュータは、基地局装置が互いに隣接するスモールセルをスモールセルクラスタに区分し、どれらのスモールセルが互いに隣接するかを指示するスモールセルクラスタの情報を形成するスモールセル区分ステップと、前記基地局装置が前記スモールセルクラスタの情報を移動体端末装置に送信する送信ステップと、前記移動体端末装置は前記基地局装置から受信した前記スモールセルクラスタの情報により前記移動体端末装置が位置する領域内におけるスモールセルの密集度を評価するスモールセル密集度評価ステップと、前記移動体端末装置の移動状態を推定するように、前記移動体端末装置は推定される前記スモールセルの密集度により移動状態推定方式を確定する移動状態推定ステップと、を実行する。
【０２１０】
本発明の実施例によれば、ユーザ機器の位置に対応する領域内においてセル密集度及びセルタイプを確定し、確定されたセル密集度及び確定されたセルタイプに基づき、前記ユーザ機器の移動状態を確定し、確定された前記ユーザ機器の移動状態に基づき、前記ユーザ機器のセル再選択を制御する、回路を含むシステムが提供される。
【０２１１】
上記システムによれば、前記セルタイプは、少なくともマクロセルに対応する第１のセルタイプ及びスモールセルに対応する第２のセルタイプを備え、前記スモールセルは前記マクロセルよりも小さいカバレッジを有する。
【０２１２】
上記システムによれば、前記回路は前記ユーザ機器にサービスを提供するセルから前記セル密集度を指示する情報を受信するように配置される。
【０２１３】
上記システムによれば、前記回路は前記ユーザ機器にサービスを提供するセルからスモールセルクラスタに存在している複数のスモールセルを指示する情報を受信するように配置される。
【０２１４】
上記システムによれば、前記回路は、前記ユーザ機器にサービスを提供するセルから受信した識別子を、前記識別子を前記セル密集度に関連する情報に比較することにより前記セルの密集度を確定するように配置される。
【０２１５】
上記システムによれば、前記回路は、前記ユーザ機器にサービスを提供するセルからスモールセルクラスタを指示する情報を受信するように配置される。
【０２１６】
上記システムによれば、前記回路は、所定時間帯内に前記ユーザ機器がセルからサービスを得る回数を計数することにより前記セルの密集度を確定するように配置され、前記サービスは、スモールセルに対する接続、及びスモールセルを含む複数のセルに対する同時接続の中の少なくとも１つを備える。
【０２１７】
上記システムによれば、前記回路は、計数される回路が所定閾値を超える場合、前記セルの密集度が高いと確定するように配置される。
【０２１８】
上記システムによれば、前記回路は、前記システムがサービスを得るセルの間の距離を確定することにより前記セルの密集度を確定するように配置される。
【０２１９】
上記システムによれば、前記回路は、前記ユーザ機器にサービスを提供するセルの送信電力に基づき前記セルの密集度及びセルタイプの中の少なくとも１つを確定するように配置される。
【０２２０】
上記システムによれば、前記回路は、前記ユーザ機器にサービスを提供するセルから受信した信号に含まれる、基地局に対応する識別子に基づき、前記セルタイプを確定するように配置される。
【０２２１】
上記システムによれば、前記回路は、前記スモールセルの密集度が低いと確定された場合、前記ユーザ機器がマクロセルからサービスを受信する回数を計数することにより、前記ユーザ機器の移動状態を確定するように配置される。
【０２２２】
上記システムによれば、前記回路は、前記スモールセルの密集度が高いと確定された場合、前記ユーザ機器の移動距離を推定することにより、前記ユーザ機器の移動状態を推定するように配置される。
【０２２３】
上記システムによれば、前記回路は、前記ユーザ機器がサービスを受信する複数のスモールセルのそれぞれに対応する位置情報の差異により、前記ユーザ機器の移動状態を推定するように配置される。
【０２２４】
上記システムによれば、前記回路は、前記ユーザ機器がマクロセルからサービスを受信する第１の回数、及び前記ユーザ機器がスモールセルからサービスを受信する第２の回数を確定するように配置される。
【０２２５】
上記システムによれば、前記回路は、確定されたセル密度により、第１の重み及び第２の重みを確定し、前記第１の重みを前記第１の回数に付けて、前記第２の重みを前記第２の回数に付けて、重付された前記第１の回数と重付された第２の回数との和を確定し、重付された前記第１の回数と重付された第２の回数との和に基づき、前記ユーザ機器の移動状態を推定するように配置される。
【０２２６】
上記システムによれば、前記回路は、前記ユーザ機器が所定領域内にスモールセルからサービスを受信する回数を計数し、計数される回数を所定閾値に比較し、計数される回数が前記所定閾値を超えて、又は、前記ユーザ機器が前記領域から移動する場合、前記計数を再開するように配置される。
【０２２７】
上記システムによれば、前記回路は、前記ユーザ機器の移動状態を指示する情報を基地局に伝送するように制御し、前記基地局から伝送される前記ユーザ機器の移動状態を指示する情報に基づく切り替え目標を受信するように配置される。
【０２２８】
上記システムによれば、前記システムは前記ユーザ機器である。
【０２２９】
本発明のさらにもう１つの実施例によれば、コンピュータ可読な命令を有する非一時的なコンピュータ可読媒体が提供され、システムが前記コンピュータ可読な命令を実行することにより、前記システムは、ユーザ機器の位置に対応する領域内においてセル密集度及びセルタイプを確定し、確定されたセル密集度及び確定されたセルタイプに基づき、前記ユーザ機器の移動状態を確定し、確定された前記ユーザ機器の移動状態に基づき、前記ユーザ機器のセル再選択を制御する。
【０２３０】
本発明のさらにもう１つの実施例によれば、前記システムの回路により、ユーザ機器の位置に対応する領域内においてセル密集度及びセルタイプを確定するステップと、前記システムの回路により、確定されたセル密集度及び確定されたセルタイプに基づき、前記ユーザ機器の移動状態を確定するステップと、前記システムの回路により、確定された前記ユーザ機器の移動状態に基づき、前記ユーザ機器のセル再選択を制御するステップと、を備えるシステムに実行される方法が提供される。
【図１】
0005991446.tif 000004
【図２】
0005991446.tif 000005
【図３】
0005991446.tif 000006
【図４】
0005991446.tif 000007
【図５】
0005991446.tif 000008
【図６】
0005991446.tif 000009
【図７】
0005991446.tif 000010
【図８】
0005991446.tif 000011
【図９】
0005991446.tif 000012
【図１０】
0005991446.tif 000013